(57)【要約】【課題】録画予約済み番組及び録画済み番組の一覧を表示した場合の視認性を向上させることが可能な電子機器、方法及びプログラムを提供することにある。【解決手段】実施形態によれば、方法は、ユーザによる操作を受け付けることと、ユーザによる操作に応じて、複数の録画予約された番組及び録画済み番組のアイコンを含む第１画面を表示することとを具備し、録画予約された番組は当該録画予約された番組が当該録画予約に基づいて録画される日時順に配列され、録画済み番組のアイコンは当該録画済み番組が録画された日時順に配列され、録画される日時が直近の録画予約された番組及び録画された日時が直近の録画済み番組のアイコンは近接するように配列され、第１の画面への遷移に応じて、少なくとも１つの番組を選択するためのフォーカスは、録画された日時が直近の録画済み番組のアイコン上に設定される。【選択図】図５
2015154404.tif 000002
【特許請求の範囲】
【請求項１】
ユーザによる操作を受け付けることと、
前記ユーザによる操作に応じて、複数の録画予約された番組のアイコン及び複数の録画済み番組のアイコンの双方を含む第１画面を表示することと
を具備し、
前記複数の録画予約された番組のアイコンは、当該録画予約された番組が当該録画予約に基づいて録画される日時順に配列され、
前記複数の録画済み番組のアイコンは、当該録画済み番組が録画された日時順に配列され、
前記録画予約に基づいて録画される日時が直近の前記録画予約された番組のアイコン及び前記録画された日時が直近の前記録画済み番組のアイコンは近接するように配列され、
前記第１画面への遷移に応じて、前記複数の録画予約された番組及び前記複数の録画済み番組のうち少なくとも１つの番組を選択するためのフォーカスは、前記録画された日時が直近の前記録画済み番組のアイコン上に設定される
方法。
【請求項２】
前記複数の録画予約された番組及び前記複数の録画済み番組は、同一のシリーズの複数の番組を含み、
前記フォーカスに基づいて前記同一のシリーズの複数の番組のうちの１つが選択された場合には、前記同一のシリーズの複数の番組のアイコンを含む第２画面が表示され、
前記フォーカスに基づいて前記同一のシリーズの複数の番組以外の番組が選択された場合には、当該番組の情報を含む第３画面が表示される
請求項１記載の方法。
【請求項３】
前記ユーザによる操作に応じて前記フォーカスを移動させることと、
前記フォーカスが移動された後に前記第１画面から他の画面に遷移した場合に、当該移動後のフォーカスが設定されている番組を記憶することと
を更に具備し、
前記第１画面が再度表示される場合、前記記憶された番組のアイコンが所定の位置に設定されるように前記第１画面を表示する
請求項１記載の方法。
【請求項４】
前記複数の録画予約された番組及び前記複数の録画済み番組は、同一のシリーズの複数の番組を含み、
前記同一のシリーズの複数の番組は、前記第１画面において１つのフォルダのアイコンで表示され、
前記フォルダのアイコンは、前記同一のシリーズの複数の番組の各々が録画された日時のうちの直近の日時に基づいて配列される
請求項１記載の方法。
【請求項５】
前記フォルダのアイコンは、過去に放送された前記同一のシリーズの複数の番組のうち録画されていない番組が録画予約された場合、当該録画予約に基づいて録画される日時に基づいて配列される請求項４記載の方法。
【請求項６】
ユーザによる操作を受け付ける受付手段と、
前記ユーザによる操作に応じて、複数の録画予約された番組のアイコン及び複数の録画済み番組のアイコンの双方を含む第１画面を表示する表示制御手段と
を具備し、
前記複数の録画予約された番組のアイコンは、当該録画予約された番組が当該録画予約に基づいて録画される日時順に配列され、
前記複数の録画済み番組のアイコンは、当該録画済み番組が録画された日時順に配列され、
前記録画予約に基づいて録画される日時が直近の前記録画予約された番組のアイコン及び前記録画された日時が直近の前記録画済み番組のアイコンは近接するように配列され、
前記第１画面への遷移に応じて、前記複数の録画予約された番組及び前記複数の録画済み番組のうち少なくとも１つの番組を選択するためのフォーカスは、前記録画された日時が直近の前記録画済み番組のアイコン上に設定される
電子機器。
【請求項７】
前記複数の録画予約された番組及び前記複数の録画済み番組は、同一のシリーズの複数の番組を含み、
前記フォーカスに基づいて前記同一のシリーズの複数の番組のうちの１つが選択された場合には、前記同一のシリーズの複数の番組のアイコンを含む第２画面が表示され、
前記フォーカスに基づいて前記同一のシリーズの複数の番組以外の番組が選択された場合には、当該番組の情報を含む第３画面が表示される
請求項６記載の電子機器。
【請求項８】
前記ユーザによる操作に応じて前記フォーカスを移動させる移動手段と、
前記フォーカスが移動された後に前記第１画面から他の画面に遷移した場合に、当該移動後のフォーカスが設定されている番組を記憶する記憶手段と
を更に具備し、
前記第１画面が再度表示される場合、前記記憶された番組のアイコンが所定の位置に設定されるように前記第１画面を表示する
請求項６記載の電子機器。
【請求項９】
前記複数の録画予約された番組及び前記複数の録画済み番組は、同一のシリーズの複数の番組を含み、
前記同一のシリーズの複数の番組は、前記第１画面において１つのフォルダのアイコンで表示され、
前記フォルダのアイコンは、前記同一のシリーズの複数の番組の各々が録画された日時のうちの直近の日時に基づいて配列される
請求項６記載の電子機器。
【請求項１０】
前記フォルダのアイコンは、過去に放送された前記同一のシリーズの複数の番組のうち録画されていない番組が録画予約された場合、当該録画予約に基づいて録画される日時に基づいて配列される請求項９記載の電子機器。
【請求項１１】
コンピュータにより実行されるプログラムであって、
前記コンピュータに、
ユーザによる操作を受け付けることと、
前記ユーザによる操作に応じて、複数の録画予約された番組のアイコン及び複数の録画済み番組のアイコンの双方を含む第１画面を表示することと
を実行させ、
前記複数の録画予約された番組のアイコンは、当該録画予約された番組が当該録画予約に基づいて録画される日時順に配列され、
前記複数の録画済み番組のアイコンは、当該録画済み番組が録画された日時順に配列され、
前記録画予約に基づいて録画される日時が直近の前記録画予約された番組のアイコン及び前記録画された日時が直近の前記録画済み番組のアイコンは近接するように配列され、
前記第１画面への遷移に応じて、前記複数の録画予約された番組及び前記複数の録画済み番組のうち少なくとも１つの番組を選択するためのフォーカスは、前記録画された日時が直近の前記録画済み番組のアイコン上に設定される
プログラム。
【請求項１２】
前記複数の録画予約された番組及び前記複数の録画済み番組は、同一のシリーズの複数の番組を含み、
前記フォーカスに基づいて前記同一のシリーズの複数の番組のうちの１つが選択された場合には、前記同一のシリーズの複数の番組のアイコンを含む第２画面が表示され、
前記フォーカスに基づいて前記同一のシリーズの複数の番組以外の番組が選択された場合には、当該番組の情報を含む第３画面が表示される
請求項１１記載のプログラム。
【請求項１３】
前記プログラムに、
前記ユーザによる操作に応じて前記フォーカスを移動させることと、
前記フォーカスが移動された後に前記第１画面から他の画面に遷移した場合に、当該移動後のフォーカスが設定されている番組を記憶することと
を更に実行させ、
前記第１画面が再度表示される場合、前記記憶された番組のアイコンが所定の位置に設定されるように前記第１画面を表示する
請求項１１記載のプログラム。
【請求項１４】
前記複数の録画予約された番組及び前記複数の録画済み番組は、同一のシリーズの複数の番組を含み、
前記同一のシリーズの複数の番組は、前記第１画面において１つのフォルダのアイコンで表示され、
前記フォルダのアイコンは、前記同一のシリーズの複数の番組の各々が録画された日時のうちの直近の日時に基づいて配列される
請求項１１記載のプログラム。
【請求項１５】
前記フォルダのアイコンは、過去に放送された前記同一のシリーズの複数の番組のうち録画されていない番組が録画予約された場合、当該録画予約に基づいて録画される日時に基づいて配列される請求項１４記載のプログラム。
【発明の詳細な説明】
【技術分野】
【０００１】
本発明の実施形態は、電子機器、方法及びプログラムに関する。
【背景技術】
【０００２】
近年では、インターネット接続が可能であり、当該インターネット上のサーバと通信を行うことによって、種々の情報をユーザに提供することが可能なデジタルテレビジョン装置（以下、ＴＶ装置と表記）が開発されている。
【０００３】
また、このようなＴＶ装置においては、当該ＴＶに接続された記録装置（例えば、ＨＤＤ）に番組を記録（つまり、録画）することができる。これによれば、ユーザは、録画された番組の中から所望の番組を選択することによって、当該番組を任意の時間に視聴することが可能となる。
【先行技術文献】
【特許文献】
【０００４】
【特許文献１】特開２００７−３１２２１１号公報
【発明の概要】
【発明が解決しようとする課題】
【０００５】
ところで、このようなＴＶ装置においては、録画予約がされている番組（以下、録画予約済み番組と表記）及び録画済みの番組（以下、録画済み番組と表記）等の一覧を表示することができる。
【０００６】
しかしながら、例えば記録装置の容量の増大によりＴＶ装置においては大量の番組を録画することができるため、上記した録画予約済み番組及び録画済み番組を表示した場合には、視認性が低く、ユーザが目的とする番組を直感的に判別することは困難である。
【０００７】
そこで、本発明の一形態は、録画予約済み番組及び録画済み番組の一覧を表示した場合の視認性を向上させることが可能な電子機器、方法及びプログラムを提供する。
【課題を解決するための手段】
【０００８】
実施形態によれば、方法は、ユーザによる操作を受け付けることと、前記ユーザによる操作に応じて、複数の録画予約された番組のアイコン及び複数の録画済み番組のアイコンの双方を含む第１画面を表示することとを具備し、前記複数の録画予約された番組のアイコンは、当該録画予約された番組が当該録画予約に基づいて録画される日時順に配列され、前記複数の録画済み番組のアイコンは、当該録画済み番組が録画された日時順に配列され、前記録画予約に基づいて録画される日時が直近の前記録画予約された番組のアイコン及び前記録画された日時が直近の前記録画済み番組のアイコンは近接するように配列され、前記第１画面への遷移に応じて、前記複数の録画予約された番組及び前記複数の録画済み番組のうち少なくとも１つの番組を選択するためのフォーカスは、前記録画された日時が直近の前記録画済み番組のアイコン上に設定される。
【図面の簡単な説明】
【０００９】
【図１】実施形態に係るＴＶ装置に表示されるメニュー画面の一例を示す図。
【図２】本実施形態に係るＴＶ装置１０の全体構成の一例を示す図。
【図３】本実施形態における番組の状態遷移の一例について説明するための図。
【図４】録画番組一覧を表示する際のビュー制御部１４２の処理手順の一例を示すフローチャート。
【図５】ＴＶ装置１０に表示されるＭＧＲトップページの一例について詳細に説明するための図。
【図６】ＭＧＲトップページ２００における各番組の表示位置の一例について具体的に説明するための図。
【図７】録画予約済み番組を表すサムネイル画像の表示態様の一例を示す図。
【図８】録画中番組を表すサムネイル画像の表示態様の一例を示す図。
【図９】録画済み番組を表すサムネイル画像の表示態様の一例を示す図。
【図１０】１つのフォルダでシリーズ番組を表示する場合におけるサムネイル画像の表示態様の一例を示す図。
【図１１】番組詳細ポップアップの一例を示す図。
【図１２】シリーズフォルダポップアップの一例を示す図。
【図１３】各番組の状態に応じて表示されるアクションボタンの一例を示す図。
【図１４】ＭＧＲトップページ２００においてフォーカス番組が所定の位置に設定される場合について説明するための図。
【図１５】フォーカス２０４が設定されている番組が削除される場合の一例について説明するための図。
【図１６】フォーカス２０４が設定されている番組が削除される場合の他の例について説明するための図。
【図１７】フォーカス２０４が設定されている番組が削除される場合の更に他の例について説明するための図。
【図１８】シリーズフォルダポップアップ３２０においてフォーカス３２３が設定される番組について説明するための図。
【図１９】ＭＧＲチェック処理の処理手順の一例を示すフローチャート。
【図２０】本実施形態に係るＴＶ装置１０において録画済み番組が再生される場合の処理手順の一例を示すフローチャート。
【図２１】リモートコントローラ２０に対するユーザの操作に応じた再生対象番組の状態遷移の一例について説明するための図。
【発明を実施するための形態】
【００１０】
以下、図面を参照して、実施形態について説明する。本実施形態に係る電子機器は、スタンドアローンで構成されてもよいし、セットトップボックス、またはＴＶ装置、レコーダ、携帯端末等に内蔵されてもよい。以下の説明では、一例として、本実施形態に係る電子機器が各種放送番組を視聴可能なＴＶ装置に適用された場合を説明する。
【００１１】
本実施形態に係るＴＶ装置は、番組（コンテンツ）視聴中に、クラウドサービスを起動する指示があった場合に、当該視聴番組とともに、当該番組に関連するサービスメニューを一覧表示させ、また、表示ステートに応じて関連するサービスメニューを切り替え表示することができるものとする。なお、本実施形態に係るＴＶ装置においてクラウドサービスが起動される場合、当該ＴＶ装置は、各種サーバと通信可能に接続される。
【００１２】
また、ＴＶ装置は、後述するようにネットワークに接続可能な統括コントローラを含む。この統括コントローラは、ログインデータ管理部及びコミュニケーションデータ管理部等を含む。ログイン管理部は、例えば複数人の共通ログイン識別子（共通ＩＤ）、個人の専用ログイン識別子（個人ＩＤ）を管理する。コミュニケーションデータ管理部は、共通ログイン識別子に対応したコミュニケーションデータ、専用ログイン識別子に対応したコミュニケーションデータを区別して表示出力の選別を行う。また、コミュニケーションデータ管理部は、共通ログイン識別子がログイン状態にあるときは、専用ログイン識別子に対応したコミュニケーションデータを非公開制御する。
【００１３】
なお、本実施形態に係るＴＶ装置は多数のユーザ（クライアント）によって利用されるが、当該多数のＴＶ装置におけるログイン状態及びログアウト状態はサーバのテーブルで管理される。また、上記したログイン管理部は、現在ログイン状態にあるログイン識別子を定期的にサーバへ送信してもよい。これにより、サーバは、各ＴＶ装置のログイン状態をより正確に把握することができる。
【００１４】
ここで、図１は、本実施形態に係るＴＶ装置がネットワークに接続され、例えば個人ＩＤによりログインしたときのメニュー画面（以下、クラウドメニュー画面と表記）１００の表示状態を示している（この例ではアカウント名がＳａｒａｈであるユーザがログインしている）。なお、この状態は「ホーム（画面）」と称される。
【００１５】
クラウドメニュー画面１００の左側の表示領域１０１には、放送されている番組の映像、または例えばＨＤＤのような記録装置から再生されている番組の映像を表示する。クラウドメニュー画面１００の右側の表示領域１０２には、複数の小サイズのガイド画像が１個、２個、３個…と増加して表示される。このガイド画像には、例えば友達からの通知、及びレコメンドデータを受け取るための各種送受信箱用のガイド画像等が含まれる。送受信箱としては、アウトルック、メール、メッセージ、レコメンドデータ用等がある。各送受信箱を表す画面枠に対しては、固有名を付加することが可能であり、また画像ファイルの中から所望な画像を選択してガイド画像として付加することも可能である。メッセージやレコメンドデータが送受信箱に到着している場合、対応するガイド画像には、例えば丸印が付加されるか、フレーム枠の色が変化、またはフレーム枠の輝度が繰り返し変化する等して表示される。複数のレコメンドデータが送受信箱に到着している場合、複数の丸印が対応するガイド画像に付加されて表示されてもよい。また、複数のレコメンドデータの受信数を示す数字が表示されてもよい。
【００１６】
上記の送受信箱は、例えば友達との間の通信等に利用可能である。この場合、例えば友人からアルバム集が送信されてくる場合もある。また、友人からレコメンドデータが送信されてくる場合もある。レコメンドデータとしては、例えばお勧め番組情報、お勧めショッピング情報等がある。また、お勧めシーン、お勧め出演者等の情報もある。
【００１７】
更に、機能系の複数のガイド画像が表示領域１０１の下側の表示領域１０３に表示される。機能系のガイド画像は、表示領域１０１に表示されている再生画像に関連してユーザがＴＶ装置を操作する場合に利用される。例えば表示領域１０１に表示されている再生画像に関連して、ユーザと外部サーバ（他のユーザ）との間でコミュニケーションが行われる場合に、このガイド画像を利用することができる。
【００１８】
ここで、表示領域１０２のガイド画像の利用例について説明する。ユーザは例えばリモートコントローラを操作し、所望のガイド画像（例えば、友達へのメッセージ用のガイド）にフォーカス（カーソル）を合わせることができる。なお、ここではリモートコントローラを操作するものとするが、リモートコントローラ機能を有する携帯端末等が操作されても構わない。また、ガイド画像は操作ボタンと称されてもよい。フォーカスは、例えばガイド画像を囲むフレームとして表示される。また、フォーカスされたガイド画像の輝度が他の部分より高くなる（つまり、ハイライトされる）ようにしてもよい。フォーカスが所望のガイド画像上に位置しているときに、リモートコントローラの決定ボタンが押される（またはクリックボタンでクリックされる）と、ガイド画像に対応した送受信箱が開かれ、例えばメッセージが表示される。メッセージは、例えば表示領域１０２の全体または半分を利用して表示されることができる。
【００１９】
また、ユーザはリモートコントローラを操作し、レコメンドデータの送受信箱を開くこともできる。レコメンドデータは、例えば友達から送られてきたお勧め番組を示すお勧め番組情報、またはお勧めショッピング情報である場合がある。この場合、ユーザがお勧め番組に興味を持ち、当該番組を視聴したいと思ったものとする。このとき、ユーザが表示されているお勧め番組情報の選択ボタンにフォーカスを合わせて決定ボタンを押すと、ＴＶ装置は、自動的に当該番組の再生を開始することができる。この場合、番組の再生画像は、小さい画面で表示されて、次にユーザが決定ボタンを押したときに大画面で表示されてもよい。
【００２０】
送受信箱は、通信相手の送受信箱や携帯端末へメッセージを送る場合にも利用することができる。お勧め番組情報は、例えば、タイトル名、番組内の一部のシーン、出演者名または出演者の画像として表示される。お勧め番組情報には、放送チャンネル番号、放送日、出演者のプロローグのような情報及びコンテンツサーバアドレス等も含まれる。
【００２１】
このときのＴＶ装置が番組コンテンツを取得する方法は、ＴＶ装置に接続されている記録装置（例えば、ＨＤＤ）を駆動して取得する第１の方法と、インターネットを介してコンテンツサーバからダウンロードして取得する第２の方法がある。第１の方法においては、記録装置に記録されている番組の番組リスト検索機能が動作する。また、第２の方法においては、先のお勧め番組情報に含まれるコンテンツを有するサーバへのアドレスが利用される。
【００２２】
また、お勧め番組情報には、ユーザが番組コンテンツを取得しやすいように加工されたデータが含まれている場合がある。すなわち、友達が推薦したお勧め番組情報は、例えば当該友達が利用する各種装置からサーバにアップロードされるが、このサーバにおいて、ユーザが利用できる番組情報へと加工されている。この加工が行われるのは、放送番組は地域に応じて、放送チャンネル番号、放送時間帯等が異なる場合があるからである。したがって、友達が推薦した番組と同じ番組をユーザがサーチして取得しやすいように、番組情報がサーバにて加工（例えば、放送チャンネル番号、放送時間帯等が加工）されて当該ユーザに提供される。お勧め番組情報を取得する方法としては、その他、カレンダー等から取得する方法もある。
【００２３】
また、表示領域１０２のガイド画像を利用して、ガイド画像を管理する管理機能に登録されている友達に対して、メール、ショートメッセージ等を送信することも可能である。
【００２４】
次に、表示領域１０３のガイド画像の利用例について説明する。例えば、現在視聴している番組（表示領域１０１に表示されている番組）がドラマである場合において、ユーザが気に入ったシーン、または好きな出演者が現れたシーンがあった場合を想定する。このような場合、ユーザは、リモートコントローラを操作して、レコメンドのガイド画像を選択して決定ボタンを押す。すると、ユーザが視聴している番組の番組情報がアテンション（またはノーティス）番組情報としてサーバにアップロードされる。サーバは、このアテンション番組情報をレコメンド番組情報の作成材料や当該番組のタグリスト作成情報として利用することができる。また、サーバには多くの視聴者から種々の番組に関するアテンション番組情報が送られてくるため、サーバは、アテンション番組情報を利用して統計処理を行うことができる。この統計処理により、人気度の高い番組順の番組情報リストを作成することができる。
【００２５】
また、ユーザは、リモートコントローラを操作して、コメント用のガイド画像を選択して決定ボタンを押すことができる。すると、ユーザが視聴している番組（表示領域１０１に表示されている番組画像）に関してショートメッセージを入力する画面が現れ、メッセージを入力することができる。メッセージは例えば、リモートコントローラまたは携帯端末のキーボードディスプレイから入力することができる。
【００２６】
更に、本実施形態に係るＴＶ装置は、録画予約をしている番組（以下、録画予約済み番組と表記）及び録画済みの番組（以下、録画済み番組）等の一覧を表示するためのメディアガイド再生機能（以下、ＭＧＲ機能と表記）を有する。このＭＧＲ機能は、ＴＶ装置上で動作するアプリケーションプログラムによって実現される機能である。
【００２７】
図１に示すクラウドメニュー画面１００の中央上部には、上記したＭＧＲ機能に対応するウィジェットを表示（配置）するための表示領域１０４が設けられている。この表示領域１０４には、ＭＧＲ機能に関する情報が表示される。なお、表示領域１０４（ＭＧＲ機能に対応するウィジェット）の詳細については後述する。
【００２８】
ユーザは、リモートコントローラを操作して、ＭＧＲ機能に対応するウィジェットを選択して決定ボタンを押すことによって、当該ＭＧＲ機能を利用することができる。また、画面１００には、例えば「メディアガイド（ＭｅｄｉａＧｕｉｄｅ）」と称されるボタン１０５が表示されている。ユーザは、リモートコントローラを操作して、このボタン１０５を選択することによってもＭＧＲ機能を利用することができる。
【００２９】
なお、このＭＧＲ機能によって表示される録画予約済み番組及び録画済み番組の一覧（以下、録画番組一覧と表記）の詳細については後述する。
【００３０】
また、クラウドメニュー画面１００において、表示領域１０４の下側には、友達とのコミュニケーションを図るために利用される表示領域１０６が表示される。この表示領域１０６では、例えば各種コミュニケーションツール（アプリケーション）に応じた友達からのコメント等が表示される。
【００３１】
なお、上記した図１に示すガイド画像は、表示領域１０１の視聴画像を除いて、タッチ式の入力操作部であってかつ表示部を有する携帯端末で表示することも可能である。つまり、ＴＶ装置は、当該ＴＶ装置の通信機能を介して、上記のガイド画像とガイド画像に対応する操作信号を携帯端末に移動させることができる。これにより、携帯端末は、ＴＶ装置と通信状態を維持することができ、上記したようにガイド画像を利用してＴＶ装置を操作することが可能となる。
【００３２】
また、図１においては省略されているが、クラウドメニュー画面１００には、例えばカレンダー等において当日の各種イベントの情報の要約が表示されるような領域が設けられていても構わない。
【００３３】
図２は、本実施形態に係るＴＶ装置１０の全体構成を示す。なお、図２では、デジタルテレビジョン受信機（以下、ＤＴＶと表記）の基本機能（テレビジョン信号受信、復調、制御信号処理、３Ｄ関連信号処理、記録、オーディオ処理、ビデオ処理及び表示機能等）は、まとめてＤＴＶ機能ブロック（またはモジュール）１１として示している。ＤＴＶ機能ブロック１１は、ＤＴＶインタフェース（ＩＦ）１２を介して、ブラウザセクションと接続される。
【００３４】
この例では、ブラウザセクションは、ソケット部１３、クラウドアプリケーション部１４及びアプリケーション共通部１５を含む。
【００３５】
ソケット部１３は、ＤＴＶインタフェース１２から見たサーバウェブソケット、ブラウザから見たクライアントウェブサーバを含む。
【００３６】
クラウドアプリケーション部１４は、統括コントローラ１４１、ビュー制御部（表示制御部）１４２、モデル１４３を含む。統括コントローラ１４１は、コマンド、インストラクションに呼応して各種のイベント処理を行う。統括コントローラ１４１は、ビュー制御部１４２を制御して、各種の描画処理を実現する。ビュー制御部１４２は、先に説明したクラウドメニュー画面１００内の各種画像及び制御信号を得ることができる。ビュー制御部１４２の動作に基づく画像及び制御信号は、例えばモデル１４３、ソケット１３を介してＴＶ装置１０の表示部に画像及び制御ボタン等として反映される。
【００３７】
モデル１４３は、サーバへのアクセス、サーバからの情報取得、サーバへの情報送信、ＤＴＶ操作、ＤＴＶからのデータ受け取り等を行う。したがって、ＤＴＶからのメッセージを受け取り、サーバへ送信することができる。また、サーバから受け取ったメッセージをビュー制御部１４２と協働してＤＴＶの表示部の画面に表示させることができる。サーバとしては、アプリケーションサービス用のサーバ４１０、タイムクラウドサービス用のサーバ４１１、ログコレクタ用のサーバ４１２等が存在する。更に、これらのサーバ４１０〜４１２以外のサーバ（図示せず）が存在しても構わない。
【００３８】
ユーザは、リモートコントローラ２０を操作して、ＴＶ装置１０を制御することができる。リモートコントローラ２０を介したユーザによる操作（つまり、リモートコントローラ２０からの操作信号）は、モデレータ（ＭＯＤ）１６で分配される。クラウドアプリケーション部１４用として分配されたキーイベントは、統括コントローラ１４１によって受け付けられる（入力される）。また、アプリケーション共通部１５用として分配されたキーイベントは、ブラウザユーザインタフェース（ＢＵＩ）１７を介してアプリケーション共通部１５によって受け付けられる（入力される）。アプリケーション共通部１５は、アプリケーション要求コマンドに応じてアプリケーションサーバ４１０に対して指定されたアプリケーションを要求することができる。アプリケーションサーバ４１０から送られたアプリケーションは、モデル１４３を介してクラウドアプリケーション部１４に取り込まれる。ログコレクタ用のサーバ４１２は、例えばＴＶ装置１０及び他の接続装置で使用されるログを収集することができる。
【００３９】
ここで、ユーザによってクラウドサービスの提供が指示された場合には、ＴＶ装置１０のクラウドサービスのアプリケーションが起動される。これによってクラウドサービスが開始された場合、視聴コンテンツとともに、このコンテンツに関連するサービスメニューがタイムクラウドサービスサーバ４１１から提供され、当該サービスメニューを一覧表示させることができる。そして表示ステートに応じて、関連するサービスメニューを切り替え表示することができる。
【００４０】
なお、タイムクラウドサービスサーバ４１１は、他の各種サーバ及び他の情報処理装置ともネットワークを通じ接続されることができる。タイムクラウドサービスサーバ４１１は、ＴＶ装置１０に対して各種サービスデータを送ることができる。タイムクラウドサービスサーバ４１１は、映像コンテンツと、メタデータ作成会社やユーザ等が作成したシーン情報やタグリストとを関連付けることができる。関連付けられたデータは、例えばテーブル上に配置されている。
【００４１】
上記した図２に示す各ブロック及びその動作は、ソフトウェアを形成するインストラクションの集合（プログラム）で実現されてもよい。また、図２に示す各ブロック内にはソフトウェアによるデータ処理を実現するためのプロセッサまたは中央演算処理装置（ＣＰＵ）等が組み込まれている。更に、上記のソフトウェアは、メモリ（記憶媒体）に格納されており、バージョンアップが可能である。また、メモリ内のデータ（ソフトウェア）は、コンピュータにより読み取り可能である。
【００４２】
上記のＤＴＶは、複数のデジタルチューナを有し、同時に複数チャンネルを受信することができる。複数チャンネルの信号が復調されると、複数のストリームが得られる。各ストリームは、テレビジョン番組、制御信号などのパケットを含む。複数チャンネルの複数の番組のストリームは、ＵＳＢ接続された例えばＨＤＤに記録（録画）される。ＨＤＤは、記録された番組の番組情報を管理する管理情報を記録することもできる。
【００４３】
また、本実施形態に係るＴＶ装置１０においては、録画予約により、各種番組を録画することが可能である。録画予約は、ユーザが所望の番組を所望の記録装置（例えば、ＨＤＤ）に記録（録画）することを予約することである。この録画予約は、例えば、電子番組案内（ＥＰＧ）データから作成及び表示された番組表に対して、ユーザがリモートコントローラ２０を操作して所望の番組を選択することによって行われる。これにより、所望の番組が例えばＨＤＤに録画される。複数の記録装置が家庭内ネットワークで接続されている場合、ユーザは、録画先のＨＤＤを指定することも可能である。
【００４４】
ここで、図３を参照して、本実施形態における番組の状態遷移について説明する。上述したように、例えば電子番組案内（ＥＰＧ）等に追加された新規番組については、録画予約をすることができる。なお、録画予約には、自動録画予約及びユーザ録画予約が含まれる。自動録画予約は、例えばタイムクラウドサービスサーバ４１１において収集されたアテンション番組情報やログコレクタ用のサーバ４１２において収集されたログ等に基づいて決定されたお勧め番組（レコメンド番組）を自動的に録画するための予約を行うことをいう。一方、ユーザ録画予約は、ユーザによって指定（設定）された番組を録画するための予約を行うことをいう。なお、ユーザ録画予約には、ユーザによって指定された１つの番組に対する録画予約と、ユーザによって指定された同一のシリーズに含まれる複数の番組（同一のシリーズの番組）に対する録画予約（以下、シリーズ録画予約と表記）が含まれる。なお、同一のシリーズの番組とは、例えば連続ドラマのような番組を含む。
【００４５】
上記した新規番組に対して録画予約がされた場合、当該新規番組は録画予約済み番組となる。なお、録画予約済み番組には、自動録画予約がされた自動録画予約済み番組及びユーザ録画予約がされたユーザ録画予約済み番組が含まれる。
【００４６】
ここで、番組を録画するＨＤＤにおいては、上述した自動録画予約に基づく番組の録画に使用される領域（自動録画領域）とユーザ録画予約に基づく番組の録画に使用される領域（ユーザ録画領域）とが区別されているものとする。この場合、自動録画予約に基づいて録画された番組は、自動録画領域の空き領域が不足すると、当該録画された日時が古いものから順に削除される。すなわち、自動録画済み番組については、ユーザが認知していないところで自動的に削除（以下、自動削除と表記）される場合がある。このため、ユーザは、後の自動削除を防止するために、例えば自動録画予約済み番組をユーザ録画予約済み番組に変更し、当該予約に基づいて録画される番組（録画済み番組）を保護することができる。なお、自動削除処理は、例えば１０分毎に実行される。
【００４７】
自動録画予約及びユーザ録画予約に基づいて番組の録画が開始されると、自動録画予約済み番組及びユーザ録画予約済み番組は、録画中番組となる。なお、上記した録画予約（自動録画予約またはユーザ録画予約）以外にも、ユーザは、番組（新規番組）が放送されている際に例えばリモートコントローラ２０に設けられている録画ボタン等を押下することによって当該番組を録画することも可能である。このような場合には、新規番組は、録画中番組となる。
【００４８】
録画中番組の録画が完了すると、当該録画中番組は録画済み番組となる。この録画済み番組には、自動録画済み番組及びユーザ録画済み番組が含まれる。自動録画済み番組は、上記した自動録画予約に基づいて録画された番組である。一方、ユーザ録画済み番組は、上記したユーザ録画予約に基づいて録画された番組及びリモートコントローラ２０に設けられている録画ボタン等が押下されることによって録画された番組を含む。なお、上記した自動削除を防止するために、自動録画済み番組をユーザ録画済み番組に変更し、当該録画済み番組を保護することも可能である。
【００４９】
また、ユーザによって指定された録画済み番組（自動録画済み番組及びユーザ録画済み番組）は、削除されることができる。なお、自動録画済み番組については、上記したように自動的に削除される場合もある。このように、録画済み番組が削除されると、当該録画済み番組は削除済み番組となる。
【００５０】
なお、ＴＶ装置１０は、上記した録画予約機能以外に、例えば視聴予約機能を備える。視聴予約は、ユーザが所望の番組を視聴することを予約することである。新規番組対してこのような視聴予約がされた場合、当該新規番組は視聴予約済み番組となる。これによれば、視聴予約済み番組の放送時間帯にＴＶ装置１０において自動的に当該番組が表示される。
【００５１】
図２に示すビュー制御部１４２は、上記したように遷移する番組の状態に基づいて、上述したＭＧＲ機能により録画番組一覧を表示する処理を実行する。以下、図４のフローチャートを参照して、録画番組一覧を表示する際のビュー制御部１４２の処理手順について説明する。
【００５２】
まず、上記したようにユーザによってクラウドサービスの提供が指示された場合には、ＴＶ装置１０のクラウドサービスのアプリケーションが起動され、ビュー制御部１４２は、図１に示すようなクラウドメニュー画面１００を表示する（ブロックＢ１）。
【００５３】
ここで、ユーザは、リモートコントローラ２０を操作して、クラウドメニュー画面１００上でＭＧＲ機能の利用を指示することができる。具体的には、ユーザは、クラウドメニュー画面１００上の表示領域１０４に表示されているＭＧＲ機能に対応するウィジェットを選択する、または当該クラウドメニュー画面１００に設けられている「メディアガイド」ボタン１０５を指定することによって、ＭＧＲ機能の利用を指示することができる。なお、ＭＧＲ機能の利用の指示は、例えばリモートコントローラ２０に設けられている専用のボタンが押下されることによってされても構わない。
【００５４】
ビュー制御部１４２は、上記したＭＧＲ機能の利用を指示する各種操作（以下、利用指示操作と表記）が受け付けられたか否かを判定する（ブロックＢ２）。
【００５５】
利用指示操作が受け付けられていないと判定された場合（ブロックＢ２のＮＯ）、処理は終了され、例えばクラウドメニュー画面１００の表示が継続される。
【００５６】
一方、利用指示操作が受け付けられたと判定された場合（ブロックＢ２のＹＥＳ）、適宜ユーザによって選択されたサービスプロバイダ（ＴＶプロバイダ）が設定された後、ＭＧＲチェック処理が実行される（ブロックＢ３）。このＭＧＲチェック処理は、ＭＧＲ機能を利用するための前処理である。なお、ＭＧＲチェック処理の詳細については後述する。
【００５７】
次に、ＭＧＲチェック処理の結果に基づいて、ＭＧＲ機能の利用が可能であるか否かが判定される（ブロックＢ４）。
【００５８】
ＭＧＲ機能の利用が可能でないと判定された場合（ブロックＢ４のＮＯ）、処理は終了され、例えばクラウドメニュー画面１００の表示に戻る。
【００５９】
一方、ＭＧＲ機能の利用が可能であると判定された場合（ブロックＢ４のＹＥＳ）、ビュー制御部１４２は、当該ＭＧＲ機能（を利用するためのアプリケーション）を起動し、ＭＧＲトップページ（画面）を表示する（ブロックＢ５）。このＭＧＲトップページには、例えばＴＶ装置１０において管理及び記録されている録画予約済み番組及び録画済み番組の一覧（つまり、録画番組一覧）が表示される。
【００６０】
この録画番組一覧において、録画予約済み番組及び録画済み番組は、当該各番組のコンテンツ情報（メタデータ）に基づいて配置される。このコンテンツ情報は、例えば上述したタイムクラウドサービスサーバ４１１において管理されている情報であり、当該タイムクラウドサービスサーバ４１１から取得することができる。
【００６１】
なお、コンテンツ情報には、日時及び当該番組に関する情報（番組情報）が含まれる。例えば録画予約済み番組のコンテンツ情報に含まれる日時は、当該録画予約に基づいて当該番組が録画される日時（つまり、当該番組が放送される日時）である。一方、録画済み番組のコンテンツ情報に含まれる日時は、当該番組が録画された日時（当該番組が放送された日時）である。以下、録画予約に基づいて録画予約済み番組が録画される日時を便宜的に当該録画予約済み番組の日時、録画済み番組が録画された日時を便宜的に当該録画済み番組の日時と称する場合がある。
【００６２】
また、番組情報には、番組のタイトル名、エピソード番号（エピソード名）、出演者名及び番組の概要等が含まれる。
【００６３】
なお、上記したようにＭＧＲ機能が一度起動されると、次回のＭＧＲ機能の起動時には上記したサービスプロバイダの設定及びＭＧＲチェック処理は省略されても構わない。
【００６４】
以下、図５を参照して、ＴＶ装置１０に表示されるＭＧＲトップページ（録画番組一覧）について詳細に説明する。
【００６５】
ＭＧＲトップページ２００では、複数の録画予約済み番組のアイコン及び複数の録画済み番組のアイコンの双方を含む録画番組一覧（第１画面）が表示される。
【００６６】
この録画番組一覧において、録画予約済み番組のアイコンは、当該録画予約済み番組の日時（つまり、当該録画予約済み番組が録画予約に基づいて録画される日時）順に配列される。また、録画済み番組のアイコンは、当該録画済み番組の日時（つまり、当該録画済み番組が録画された日時）順に配列される。この各番組のアイコンは、当該番組に関係する画像等であればよく、当該番組に含まれる画像（例えば、当該番組を表すサムネイル画像）を含む。また、各番組のアイコンとしては、上記した当該番組を表すサムネイル画像以外に、例えば各種サーバ等から取得される画像が用いられても構わない。
【００６７】
以下の説明では、各番組のアイコンは当該番組を表すサムネイル画像であるものとして説明する。また、上記したようＭＧＲトップページ２００（録画番組一覧）には各番組のアイコンが表示されるが、以下の説明では便宜的に、当該ＭＧＲトップページ２００に各番組が表示されるものとして説明する場合がある。なお、これらのアイコン（録画予約済み番組のアイコン及び録画済み番組のアイコン）は、マトリクス上に配列される。
【００６８】
具体的には、図５に示すように、ＭＧＲトップページ２００は、番組表示領域２０１〜２０３を含む。
【００６９】
番組表示領域２０１は、他の番組表示領域２０２及び２０３より上位の位置に配置され、録画予約済み番組（を表すサムネイル画像）を表示する。また、番組表示領域２０１においては、最左端に録画される日時が直近の録画予約済み番組が配置され、他の録画予約済み番組が当該日時順に右側に配置される。すなわち、番組表示領域２０１には、録画される日時の昇順に録画予約済み番組が左側から配置される。
【００７０】
一方、番組表示領域２０１より下位に位置する番組表示領域２０２及び２０３には、過去の番組、つまり、録画済み番組（を表すサムネイル画像）が表示される。具体的には、番組表示領域２０２には、録画された日時が今週に該当する録画済み番組（つまり、今週録画された録画済み番組）が表示される。一方、番組表示領域２０３には、録画された日時が先週に該当する録画済み番組（つまり、先週録画された録画済み番組）が表示される。
【００７１】
なお、番組表示領域２０２及び２０３においては、各領域２０２及び２０３に表示される番組のうち、録画された日時が直近の番組が最左端に配置される。
【００７２】
具体的には、番組表示領域２０２には、今週録画された録画済み番組のうち、最新のものが最左端に配置され、他の録画済み番組（今週録画された番組）が録画された日時順に右側に配置される。なお、録画中番組が存在する場合には、当該録画中番組は、番組表示領域２０２の最左端に配置されるものとする。
【００７３】
また、番組表示領域２０３には、先週録画された録画済み番組のうち、最新のものが最左端に配置され、他の録画済み番組（先週録画された番組）が録画された日時順に右側に配列される。
【００７４】
すなわち、番組表示領域２０２及び２０３には、該当する録画済み番組（今週録画された番組及び先週録画された番組）が録画された日時の降順に左側から配列される。
【００７５】
このように、本実施形態における録画番組一覧では、上位行（領域）２０１に録画予約済み番組（つまり、未来の番組）を配列し、下位行（領域）２０２及び２０３に録画済み番組（つまり、過去の番組）を配列することによって、録画予約済み番組と録画済み番組を別の行で表示する。また、録画予約済み番組は番組表示領域２０１において右側ほど未来になり、録画済み番組は各番組表示領域２０２及び２０３において左側ほど新しくなるようにマトリクス上に配列される。換言すれば、録画番組一覧においては、録画される日時が直近の録画予約済み番組と録画された日時が最新の録画済み番組が近接するように配列される。
【００７６】
これは、例えば一般的に文字等を書く方向は左から右であり、重要なものを左側に配置し、右側に重要でないものを配置した方がユーザが直感的に判別しやすいという観点に基づくものである。
【００７７】
なお、図５に示すように、各番組を表すサムネイル画像上には当該各番組の日付（つまり、録画予約に基づいて録画される日付または録画された日付）を表すアイコンが表示される。
【００７８】
また、図５に示す例では、例えば番組表示領域２０１には５つの番組（録画予約済み番組）が表示されているが、当該録画予約済み番組が６つ以上存在する場合、当該６つ目以降の番組については当該番組表示領域２０１を横方向（左方向）にスクロールすることによって表示可能である。なお、このスクロールは行単位（つまり、各番組表示領域単位）で行うことができるものとする。
【００７９】
また、例えば録画予約済み番組に対する録画予約が取り消された場合、または録画済み番組がＨＤＤ等の記録装置から削除された場合には、当該番組を表すサムネイル画像は、ＭＧＲトップページ２００（つまり、録画番組一覧）から削除される。
【００８０】
ここで、ユーザは、ＭＧＲトップページ２００（録画番組一覧）上で、例えば再生したい番組、詳細を確認したい番組等を選択（指定）することができる。この番組の選択は、ユーザがリモートコントローラ２０を操作し、当該番組（を表すサムネイル画像）上に設定（表示）されるフォーカス２０４を移動させることによって行われる。なお、図５に示す例では、フォーカス２０４は、番組表示領域２０２の最左端に位置する番組（録画済み番組）上に設定されている。フォーカス２０４は、図５に示す例では番組を表すサムネイル画像を囲むフレームとして表示されているが、番組が選択されている状態をユーザが把握可能であれば他の態様であっても構わない。
【００８１】
このようにフォーカス２０４を移動させることによって番組が選択される（つまり、当該番組上にフォーカス２０４が設定される）と、ＭＧＲトップページ２００の上部に設けられている番組情報表示領域２０５には、当該フォーカス２０４に基づいて選択された番組（つまり、フォーカス２０４が表示されている番組）の番組情報が表示される。具体的には、番組情報表示領域２０５には、選択された番組が放送されたチャンネル（のロゴ）、当該番組のタイトル、放送日（曜日）、放送開始時刻及び放送終了時刻が表示される。図５に示す例では、１月２２日（水曜日）の９：００ｐｍ〜１０：００ｐｍに放送されたタイトルが「ｘｘｘｘｘｘ」である番組に関する情報が表示されている。なお、番組情報表示領域２０５には、上記した以外に例えば出演者名等が表示されてもよい。
【００８２】
上記したＭＧＲトップページ２００において表示される各番組を表すサムネイル画像及び番組情報表示領域２０５に表示される番組情報（を含むコンテンツ情報）は、タイムクラウドサービスサーバ４１１から取得される。なお、番組を表すサムネイル画像が存在しない場合には、当該番組のジャンルを表す画像等が用いられても構わない。
【００８３】
更に、ＭＧＲトップページ２００の右上部には、ストレージ情報表示領域２０６が設けられている。このストレージ情報表示領域２０６には、録画済み番組の数や当該録画済み番組のうち視聴していない録画済み番組（未視聴番組）の数等が表示される。
【００８４】
また、ストレージ情報表示領域２０６には、番組の録画に使用されているストレージ（例えば、ＨＤＤ）の容量（つまり、使用容量）の割合（％）が表示される。なお、ここで表示されるストレージの使用容量は、上記したユーザ録画領域に対する使用容量であるものとする。
【００８５】
図５に示す例では、録画済み番組数（録画番組）が５５であり、そのうち未視聴番組が２１であることが表示されている。また、ストレージの使用容量が８１％であることが表示されている。
【００８６】
また、ストレージ情報表示領域２０６には、上記した以外に、例えば自動録画機能がＯＮ状態であるかＯＦＦ状態であるかを示す情報や、エラー状態を示す情報等が表示されても構わない。
【００８７】
なお、図５に示す例では、番組表示領域２０１〜２０３のみが表示されるものとして説明したが、先々週以前に録画された番組（録画済み番組）については、図５に示すＭＧＲトップページ２００を縦方向（上方向）にスクロールすることによって表示可能である。
【００８８】
以下、図６を参照して、ＭＧＲトップページ２００（録画番組一覧）における各番組の表示位置について具体的に説明する。
【００８９】
ここでは、現在が１月２２日（水曜日）であるものとする。また、本実施形態においては、１つの週を月曜日から日曜日として定義する。
【００９０】
この場合におけるＭＧＲトップページ２００においては、例えば１月２２日（現在）以降に録画される予定である録画予約済み番組は、他の番組表示領域よりも上位に配置される番組表示領域（つまり、録画予約に対応する番組表示領域）２０１に表示される。なお、番組表示領域２０１における録画予約済み番組は、上記したように録画される日時の昇順に左側から配列される。
【００９１】
一方、１月２０日（月曜日）から１月２２日（現在）までの間に録画された録画済み番組は、番組表示領域２０１の１つ下位に配置される番組表示領域（つまり、今週に対応する番組表示領域）２０２に表示される。なお、録画中番組が存在する場合、当該録画中番組は、この番組表示領域２０２に表示される。
【００９２】
更に、１月１３日（月曜日）から１月１９日（日曜日）の間に録画された録画済み番組は、番組表示領域２０２の１つ下位に配置される番組表示領域（つまり、先週に対応する番組表示領域）２０３に表示される。
【００９３】
また、１月１日（水曜日）から１月１２日（日曜日）までの間に録画された録画済み番組は、番組表示領域２０３の１つ下位に配置される番組表示領域（つまり、月の初めに対応する番組表示領域）２０７に表示される。なお、上記したようにＭＧＲトップページ２００においては例えば３つの番組表示領域（例えば、番組表示領域２０１〜２０３）が一画面で表示されるが、当該ＭＧＲトップページ２００を上方向にスクロールすることによって、番組表示領域２０７（〜２０９等）を表示することができるものとする。
【００９４】
また、１２月の間に録画された録画済み番組は、番組表示領域２０７の１つ下位に配置される番組表示領域（つまり、１２月に対応する番組表示領域）２０８に表示される。
【００９５】
また、１１月の間に録画された録画済み番組は、番組表示領域２０８の１つ下位に配置される番組表示領域（つまり、１１月に対応する番組表示領域）２０９に表示される。
【００９６】
なお、上記した各番組表示領域２０２、２０３及び２０７〜２０９における録画済み番組は、上記したように録画された日時の降順に左側から配列される。
【００９７】
以下、詳しい説明については省略するが、１０月以前に録画された録画済み番組についても同様に、各月に対応する番組表示領域に表示されるものとする。また、各月に対応する番組表示領域は１２か月分用意されているものとし、それ以前（つまり、１年以上前）に録画された録画済み番組については、ＭＧＲトップページ２００において最下位に配置される番組表示領域（例えば、１年以上前に対応する番組表示領域）にまとめて表示されるものとする。
【００９８】
なお、月初めや各月に対応する番組表示領域に表示されるべき録画済み番組が存在しない場合には、当該番組表示領域は省略されるものとする。具体的には、図６に示す例において、月初めに対応する番組表示領域２０７に表示される録画済み番組が存在しない場合には、番組表示領域２０８が番組表示領域２０３の１つ下位に配置されるように表示されるものとする。
【００９９】
また、図６に示す例では、月の初めに対応する番組表示領域２０７が設けられているが、例えば現在が１月８日（水曜日）等の月の前半の日（月の始まりから２週間以内）であるような場合には、当該月の初めに対応する番組表示領域２０７は設けられず、番組表示領域２０８が番組表示領域２０３の１つ下位に配置されるように表示されるものとする。
【０１００】
次に、図７〜図９を参照して、上述したＭＧＲトップページ２００において表示される各番組を表すサムネイル画像の表示態様について具体的に説明する。
【０１０１】
まず、図７は、録画予約済み番組を表すサムネイル画像の表示態様を示す。なお、ユーザ録画予約済み番組については、シリーズ録画予約がされている番組（シリーズ録画予約済み番組）以外のユーザ録画予約済み番組と、当該シリーズ録画予約済み番組とを区別して説明する。ここでは、シリーズ録画予約済み番組以外のユーザ録画予約済み番組を便宜的にユーザ録画予約済み番組と称する。
【０１０２】
図７に示す例では、ユーザ録画予約済み番組の場合、当該番組を表すサムネイル画像２１１の左上部には、当該番組が録画される（予定の）日付を表すアイコン（以下、日付アイコンと表記）２１１ａが表示される。また、サムネイル画像２１１の下部には、番組のタイトル２１１ｂが表示される。更に、ユーザ録画予約済み番組を表すサムネイル画像２１１上には、録画予約済み番組であることをユーザに伝えるための所定のマーク２１１ｃが表示される。なお、図７に示す例では、所定のマーク２１１ｃとして時計を表すマークが示されている。
【０１０３】
一方、自動録画予約済み番組の場合、当該番組を表すサムネイル画像２１２上には、上記したユーザ録画予約済み番組の場合と同様に、日付アイコン２１２ａ、タイトル２１２ｂ及び所定のマーク２１２ｃが表示される。更に、自動録画予約済み番組を表すサムネイル画像２１２上には、自動録画予約済み番組であることを表すアイコン２１２ｄが表示される。
【０１０４】
また、シリーズ録画予約済み番組の場合、当該番組を表すサムネイル画像２１３上には、上記したユーザ録画予約済み番組及び自動録画予約済み番組の場合と同様に、日付アイコン２１３ａ、タイトル２１３ｂ及び所定のマーク２１３ｃが表示される。更に、シリーズ録画予約済み番組を表すサムネイル画像２１３上には、シリーズに含まれる番組（つまり、シリーズ録画予約済み番組）であることを表すアイコン２１３ｄが表示される。このアイコン２１３ｄには、例えばシリーズにおけるエピソード番号を表すアイコン等が含まれる。
【０１０５】
なお、上記した録画予約済み番組（ユーザ録画予約済み番組、自動録画予約済み番組及びシリーズ録画予約済み番組）の場合、当該番組を表すサムネイル画像２１１〜２１３は、例えばグレイアウト表示される。
【０１０６】
次に、図８は、録画中番組を表すサムネイル画像の表示態様を示す。なお、ユーザ録画予約に基づいて録画中である番組（ユーザ録画中番組）については、シリーズ録画予約に基づいて録画中であるユーザ録画中番組以外のユーザ録画中番組と、当該シリーズ録画予約に基づいて録画中である番組（以下、シリーズ録画中番組と表記）とを区別して説明する。ここでは、シリーズ録画中番組以外のユーザ録画中番組を便宜的にユーザ録画中番組と称する。一方、自動録画予約に基づいて録画中である番組は自動録画中番組と称する。
【０１０７】
図８に示す例では、ユーザ録画中番組の場合、当該番組を表すサムネイル画像２２１の左上部には、当該番組が録画されている日付を表すアイコン（日付アイコン）２２１ａが表示される。また、サムネイル画像２２１の下部には、番組のタイトル２２１ｂが表示される。更に、ユーザ録画中番組を表すサムネイル画像２２１上には、番組が録画中であることを表すアイコン（以下、録画中アイコンと表記）２２１ｃが表示される。なお、この録画中アイコン２２１ｃには、例えば赤色が付された丸型のアイコン等が含まれる。
【０１０８】
一方、自動録画中番組の場合、当該番組を表すサムネイル画像２２２上には、上記したユーザ録画中番組の場合と同様に、日付アイコン２２２ａ、タイトル２２２ｂ及び録画中アイコン２２２ｃが表示される。更に、自動録画中番組を表すサムネイル画像２２２上には、自動録画中番組であることを表すアイコン２２２ｄが表示される。なお、このアイコン２２２ｄとしては、上記した図７に示すアイコン２１２ｄと同様のものが用いられても構わない。
【０１０９】
また、シリーズ録画中番組の場合、当該番組を表すサムネイル画像２２３上には、上記したユーザ録画中番組及び自動録画中番組の場合と同様に、日付アイコン２２３ａ、タイトル２２３ｂ及び録画中アイコン２２３ｃが表示される。更に、シリーズ録画中番組を表すサムネイル画像２２３上には、シリーズに含まれる番組（つまり、シリーズ録画中番組）であることを表すアイコン２２３ｄが表示される。なお、アイコン２２３ｄには、例えばシリーズにおけるエピソード番号を表すアイコン等が含まれる。
【０１１０】
次に、図９は、録画済み番組を表すサムネイル画像の表示態様を示す。なお、ユーザ録画済み番組については、シリーズ録画予約に基づいて録画された番組（シリーズ録画済み番組）以外のユーザ録画済み番組と、当該シリーズ録画済み番組とを区別して説明する。ここでは、シリーズ録画済み番組以外のユーザ録画済み番組を便宜的にユーザ録画済み番組と称する。
【０１１１】
図９に示す例では、ユーザ録画済み番組の場合、当該番組を表すサムネイル画像２３１の左上部には、当該番組が録画された日付を表すアイコン（日付アイコン）２２３ａが表示される。また、サムネイル画像２３２の下部には、番組のタイトル２３１ｂが表示される。また、ユーザ録画済み番組がユーザによって視聴されていない（つまり、未視聴である）場合には、当該番組を表すサムネイル画像２３１上には、番組が未視聴であることを表すアイコン（以下、未視聴アイコンと表記）２３１ｃが更に表示される。なお、ユーザ録画済み番組がユーザによって視聴済みである（つまり、未視聴でない）場合には、当該番組を表すサムネイル画像２３１上には未視聴アイコン２３１ｃは表示されない。
【０１１２】
一方、自動録画済み番組の場合、当該番組を表すサムネイル画像２３２上には、上記したユーザ録画済み番組の場合と同様に、日付アイコン２３２ａ及びタイトル２３２ｂが表示される。また、自動録画済み番組が未視聴である場合には、当該番組を表すサムネイル画像２３２上には未視聴アイコン２３２ｃが更に表示される。なお、自動録画済み番組が視聴済みである場合には、サムネイル画像２３２上には未視聴アイコン２３２ｃは表示されない。更に、自動録画番組を表すサムネイル画像２３２上には、自動録画済み番組であることを表すアイコン２３２ｄが表示される。なお、このアイコン２３２ｄとしては、上記した図７に示すアイコン２１２ｄ等と同様のものが用いられても構わない。
【０１１３】
また、シリーズ録画済み番組の場合、当該番組を表すサムネイル画像２３３上には、上記したユーザ録画済み番組及び自動録画済み番組の場合と同様に、日付アイコン２３３ａ及びタイトル２３３ｂが表示される。また、ユーザ録画済み番組が未視聴である場合には、当該番組を表すサムネイル画像２３３上には未視聴アイコン２３３ｃが更に表示される。なお、シリーズ録画済み番組が視聴済みである場合には、サムネイル画像２３３上には未視聴アイコン２３３ｃは表示されない。更に、シリーズ録画済み番組を表すサムネイル画像２３３上には、シリーズに含まれる番組（つまり、シリーズ録画済み番組）であることを表すアイコン２３３ｄが表示される。なお、アイコン２３３ｄには、例えばシリーズにおけるエピソード番号を表すアイコン等が含まれる。
【０１１４】
上記したように、録画済み番組（ユーザ録画済み番組、自動録画済み番組及びシリーズ録画済み番組）においては、未視聴アイコンにより、当該録画済み番組が未視聴であるか視聴済みであるかを容易に把握することができる。
【０１１５】
なお、ここではＭＧＲトップページ２００上に表示されるサムネイル画像が１つの番組を表すものとして説明したが、ＭＧＲトップページ２００において、同一のシリーズの複数の番組（以下、シリーズ番組と表記）を１つのフォルダ（サムネイル画像）で表示することも可能である。なお、１つのフォルダで表示されるシリーズ番組は、例えば上記したシリーズ録画予約済み番組、シリーズ録画中番組及びシリーズ録画済み番組を含む。
【０１１６】
ここで、図１０は、１つのフォルダでシリーズ番組を表示する場合におけるサムネイル画像の表示態様を示す。図１０に示す例では、シリーズ番組を表すサムネイル画像２４１の左上部には、当該シリーズ番組のうちの最新の録画済み番組（シリーズ録画済み番組）の日付、つまり、当該シリーズ番組に含まれる各録画済み番組が録画された日付のうち直近の日付を表すアイコン（日付アイコン）２４１ａが表示される。また、サムネイル画像２４１の下部には、シリーズ名（シリーズ番組のタイトル）２４１ｂが表示される。更に、シリーズ番組を表すサムネイル画像２４１の中央部には、シリーズ番組であることをユーザに伝えるためのアイコン（以下、フォルダアイコンと表記）２４１ｃが表示される。
【０１１７】
図１０においては省略されているが、シリーズ番組の中に未視聴の録画済み番組が存在する場合には、上述した未視聴アイコン等が表示されても構わない。
【０１１８】
なお、上記したように、サムネイル画像２４１上には、シリーズ番組のうちの最新の録画済み番組の日付を表す日付アイコン２４１ａが表示される。すなわち、シリーズ番組（を表すサムネイル画像２４１）は、ＭＧＲトップページ２００（録画番組一覧）上では、当該シリーズ番組のうちの最新の録画済み番組の日付（日時）に基づいて配列される。
【０１１９】
ここでは、１つのフォルダで表示されるシリーズ番組が１つのシリーズ録画予約に基づく番組（つまり、シリーズ録画予約済み番組、シリーズ録画中番組及びシリーズ録画済み番組）を含むものとして説明したが、当該シリーズ番組は、当該シリーズ録画予約の有無にかかわらず、例えばタイトルが同一の番組を含むようにしても構わない。更に、シリーズ番組には、自動録画予約に基づく番組（自動録画予約済み番組、自動録画中番組及び自動録画済み番組）が含まれていても構わない。具体的には、例えばドラマ等のシリーズ番組において、最初の数話（の番組）については自動録画予約に基づいて録画され、残りの数話についてはユーザによって設定されたシリーズ録画予約に基づいて録画されたような場合には、当該自動録画済み番組及びシリーズ録画済み番組をまとめてシリーズ番組とすることができる。
【０１２０】
また、ここではシリーズ番組を表すサムネイル画像２４１上には最新の録画済み番組の日付を表す日付アイコン２４１ａが表示されるものとして説明したが、例えばシリーズ番組の中に録画中番組が存在する場合には、当該録画中番組の日付を表す日付アイコン２４１ａが表示され、当該シリーズ番組（を表すサムネイル画像２４１）が当該日付に基づいて配列されるような構成とすることも可能である。
【０１２１】
更に、上記したようにシリーズ番組を表すサムネイル画像２４１上に表示される日付アイコン２４１ａによって表される日付によってＭＧＲトップページ２００（録画番組一覧）上の配置が異なることから、当該日付アイコン２４１ａによって表される日付を、シリーズ番組の状態に応じて変更するような構成とすることも可能である。
【０１２２】
具体的には、過去に放送されたシリーズ番組のうち録画されていない番組が例えば再放送等に応じて録画予約された場合には、当該録画予約に基づいて当該番組が録画される日時に基づいて配列されるようにすることも可能である。
【０１２３】
なお、ＭＧＲトップページ２００上でフォーカス２０４を移動させることによってシリーズ番組（を表すサムネイル画像２４１）が選択された場合には、当該ＭＧＲトップページ２００の上部に設けられている番組情報表示領域２０５には、当該シリーズ番組の番組情報が表示される。この場合における放送日、放送開始時刻及び放送終了時刻としては、上述したシリーズ番組のうちの最新の録画済み番組の放送日、放送開始時刻及び放送終了時刻が表示されてもよいし、当該シリーズ番組全体としての放送期間等が表示されても構わない。
【０１２４】
上述したＭＧＲトップページ２００上で、ユーザは、リモートコントローラ２０を操作することによって、当該ＭＧＲトップページ２００において配列された番組上に設定されているフォーカス２０４を移動させることができる。ここで、ＭＧＲトップページ２００上でフォーカス２０４を移動させるために用いられるリモートコントローラ２０（に対するユーザによる操作）について説明する。
【０１２５】
リモートコントローラ２０には、例えばカーソルキー、決定ボタン、戻るボタン、ページキー上／下ボタン、ページキー左／右ボタン、Ｅｘｉｔボタン、ホームボタン、ＭＧＲボタン及び再生ボタン等が設けられている。
【０１２６】
カーソルキーは、上下左右のキーを含み、ＭＧＲトップページ２００上に表示されているフォーカス２０４を各方向に移動させるためのキーである。例えばユーザによってカーソルキー上が押下された場合には、フォーカス２０４は、現在の位置から１つ上に位置する番組上に設定される。
【０１２７】
なお、ＭＧＲトップページ２００上の各番組表示領域において表示される番組のうち最左端に位置する番組上にフォーカス２０４が設定されている場合においてカーソルキー左が押下されると、当該フォーカス２０４は、当該番組表示領域において最右端に位置する番組上に設定される。同様に、ＭＧＲトップページ２００上の各番組表示領域において表示される番組のうち最右端に位置する番組上にフォーカス２０４が設定されている場合においてカーソルキー右が押下されると、当該フォーカス２０４は、当該番組表示領域において最左端に位置する番組上に設定される。ここでは、同一の番組表示領域内においてフォーカス２０４が移動されるものとして説明したが、番組表示領域の最左端に位置する番組上にフォーカス２０４が設定されている場合においてカーソルキー左が押下されると、１つ上位に配置されている番組表示領域の最右端に位置する番組上にフォーカス２０４が設定されても構わない。同様に、番組表示領域の最右端に位置する番組上にフォーカス２０４が設定されている場合においてカーソルキー右が押下されると、１つ下位に配置されている番組表示領域の最左端に位置する番組上にフォーカス２０４が設定されても構わない。
【０１２８】
また、ＭＧＲトップページ２００上の各番組表示領域のうち最下位に配置されている番組表示領域（例えば、１年以上前に対応する番組表示領域）に位置する番組上にフォーカス２０４が設定されている場合においてカーソルキー下が押下されると、当該フォーカス２０４は、最上位に配置されている番組表示領域（例えば、録画予約に対応する番組表示領域）に位置する番組上に設定される。同様に、ＭＧＲトップページ２００上の各番組表示領域のうち最上位に配置されている番組表示領域（例えば、録画予約に対応する番組表示領域）に位置する番組上にフォーカス２０４が設定されている場合においてカーソルキー上が押下されると、当該フォーカス２０４は、最下位に配置されている番組表示領域（例えば、１年以上前に対応する番組表示領域）に位置する番組上に設定される。
【０１２９】
決定ボタンは、ＭＧＲトップページ２００上でフォーカス２０４に基づいて選択された番組（つまり、フォーカス２０４が設定されている番組）に対応するポップアップを表示するためのボタンである。上記したシリーズ番組以外の番組が選択されて決定ボタンが押下された場合には、当該番組の番組情報を含む番組詳細ポップアップが表示される。一方、シリーズ番組（フォルダ）が選択されて決定ボタンが押下された場合には、当該シリーズ番組用のポップアップ（以下、シリーズフォルダポップアップと表記）が表示される。この番組詳細ポップアップ及びシリーズフォルダポップアップの詳細については後述する。
【０１３０】
なお、ＭＧＲトップページ２００が表示されている間に例えば自動録画済み番組が自動的に削除された場合、既に削除された番組であるにもかかわらず、ＭＧＲトップページ２００上に当該番組を表すサムネイル画像が表示されたままとなる可能性がある。このような場合において削除された番組（を表すサムネイル画像）が選択されて決定ボタンが押下された場合には、エラーが返されるものとする。
【０１３１】
戻るボタンは、前の状態に戻るためのボタンである。例えば上記した各ポップアップが表示された状態で戻るボタンが押下された場合には、当該ポップアップを閉じてＭＧＲトップページ２００に戻ることができる。
【０１３２】
ページ上／下ボタンは、１画面に表示されている複数の番組表示領域（例えば、３つの番組表示領域）をまとめて切り替えるためのボタンである。上述した図６を用いて具体的に説明すると、例えばＭＧＲトップページ２００における番組表示領域２０１〜２０３が１画面で表示されている場合においてページ下ボタンが押下されると、当該番組表示領域２０１〜２０３の下方向に配置されている番組表示領域２０７〜２０９が１画面で表示される。このようにページ下ボタンが押下されることによって番組表示領域２０７〜２０９が表示された場合、フォーカス２０４は、例えば番組表示領域２０７の最左端に位置する番組上に設定される。一方、例えばＭＧＲトップページ２００における番組表示領域２０７〜２０９が１画面で表示されている場合においてページ上ボタンが押下されると、当該番組表示領域２０７〜２０９の上方向に配置されている番組表示領域２０１〜２０３が１画面で表示される。このようにページ上ボタンが押下されることによって番組表示利用域２０１〜２０３が表示された場合、フォーカス２０４は、例えば番組表示領域２０３の最左端に位置する番組上に設定される。
【０１３３】
ページ左／右ボタンは、１つの番組表示領域において１画面に表示されている複数の番組（を表すサムネイル画像）をまとめて切り替えるためのボタンである。上述した図５に示すように例えば番組表示領域２０１において５つの番組が１画面で表示されている場合においてページ右ボタンが押下されると、当該番組表示領域２０１において当該５つの番組の更に右側に位置する番組（例えば、５つの番組）が表示される。なお、ページ左ボタンについても同様である。なお、このページ左／右ボタンによる操作の対象となる番組表示領域は、フォーカス２０４が設定されている番組を含む番組表示領域である。
【０１３４】
Ｅｘｉｔボタンは、上記したＭＧＲを利用するためのアプリケーションを終了するためのボタンである。
【０１３５】
ホームボタンは、上述した図１に示すクラウドメニュー画面１００のようなホーム画面に移動するためのボタンである。
【０１３６】
ＭＧＲボタンは、例えばＭＧＲトップページ２００及びビデオフルスクリーン表示等を切り替えるためのボタンである。なお、このＭＧＲボタンは、上述したＭＧＲ機能の利用をＴＶ装置１０に対して指示する際に用いることもできる。
【０１３７】
再生ボタンは、例えばフォーカス２０４が設定されている録画済み番組（コンテンツ）を再生するためのボタンである。なお、フォーカス２０４がシリーズ番組（フォルダ）上に設定されている場合には、この再生ボタンは無効であるものとする（つまり、再生されない）。
【０１３８】
なお、ここでは詳細な説明を省略するが、リモートコントローラ２０には、例えば録画済み番組の再生時に用いられるボタンとして早送りボタン、早戻しボタン及び一時停止ボタン等も設けられている。
【０１３９】
次に、上記したＭＧＲトップページ２００上でフォーカス２０４に基づいて選択された番組に対応するポップアップについて説明する。なお、このポップアップは、上記したようにＭＧＲトップページ２００において番組上にフォーカス２０４が設定されている状態において、リモートコントローラ２０に設けられている決定ボタンがユーザによって押下された場合に表示される。
【０１４０】
以下、上記したシリーズ番組以外の番組が選択されて決定ボタンが押下された場合に表示される番組詳細ポップアップ（第３画面）と、シリーズ番組（フォルダ）が選択されて決定ボタンが押下された場合に表示されるシリーズフォルダポップアップ（第２画面）との各々について説明する。
【０１４１】
まず、図１１は、番組詳細ポップアップの一例を示す。以下の説明において、図１１に示す番組詳細ポップアップが表示される際に選択された番組を対象番組と称する。ここでは、対象番組は、ユーザ録画済み番組であるものとする。
【０１４２】
図１１に示すように、番組詳細ポップアップ３１０は、ＭＧＲトップページ２００上に表示される。この番組詳細ポップアップ３１０は、番組詳細表示領域３１１及びアクションボタン領域３１２を含む。
【０１４３】
番組詳細表示領域３１１には、対象番組を表す画像（サムネイル画像）及び当該対象番組の番組情報が表示される。この番組詳細表示領域３１１に表示される番組情報には、上記したＭＧＲトップページ２００の上部に設けられている番組情報表示領域２０５に表示される情報（チャンネルのロゴ、タイトル、放送日、放送開始時刻、放送終了時刻及び出演者名等）に加えて、例えば対象番組の概要等の更なる詳細な情報が含まれる。
【０１４４】
アクションボタン領域３１２には、各種アクションを実行するためのボタン（以下、アクションボタンと表記）が表示される。図１１に示す例では、アクションボタン領域３１２には、再生ボタン、削除／取消ボタン、詳細ボタン及び閉じるボタンが表示されている。
【０１４５】
次に、図１２は、シリーズフォルダポップアップの一例を示す。以下の説明において、図１２に示すシリーズフォルダポップアップが表示される際に選択されたシリーズ番組を対象シリーズ番組と称する。
【０１４６】
図１２に示すように、シリーズフォルダポップアップ３２０は、上述した番組詳細ポップアップ３１０と同様に、ＭＧＲトップページ２００上に表示される。このシリーズフォルダポップアップ３２０は、シリーズ番組表示領域３２１及びアクションボタン領域３２２を含む。
【０１４７】
シリーズ番組表示領域３２１の上部には対象シリーズ番組のタイトル（シリーズ名）が表示されるとともに、エピソード番号を表すアイコンが付された当該対象シリーズ番組を表すサムネイル画像が当該エピソード番号の降順に左側から配列されて表示される。なお、図１２に示す例では、エピソード番号が１１〜９の対象シリーズ番組が表示されているが、シリーズ番組表示領域３２１を横方向（左方向）にスクロールすることによって、当該エピソード番号が８以前の対象シリーズ番組（を表すサムネイル画像）等を表示することができる。シリーズ番組表示領域３２１に表示される対象シリーズ番組は、シリーズ録画予約済み番組、シリーズ録画中番組及びシリーズ録画済み番組を含む。
【０１４８】
なお、シリーズ番組表示領域３２１においては、上述したＭＧＲトップページ２００と同様に、対象シリーズ番組上にフォーカス３２３が設定される。このフォーカス３２３が対象シリーズ番組を構成する特定の番組（以下、シリーズ構成番組と表記）上に設定された状態で、リモートコントローラ２０に設けられている決定ボタンがユーザによって押下された場合、当該シリーズ構成番組に対応する番組詳細ポップアップが表示される。なお、ここで表示される番組詳細ポップアップは、上述した図１１において説明した番組詳細ポップアップと同様のものである。
【０１４９】
アクションボタン領域３２２には、各種アクションを実行するためのボタン（アクションボタン）が表示される。図１２に示す例では、アクションボタン領域３２２には、全て削除ボタン、シリーズ録画／取消ボタン、一括自動削除防止ボタン及び閉じるボタンが表示されている。
【０１５０】
なお、シリーズフォルダポップアップは１つのフォルダで表示されたシリーズ番組（を表すサムネイル画像）を選択して決定ボタンが押下された場合に表示されるものとして説明したが、例えばシリーズ番組が１つのフォルダで表示されておらず、当該シリーズ番組を構成する各シリーズ構成番組がＭＧＲトップページ２００上で個別に表示されている場合を想定する。上述したリーズフォルダポップアップは、このような場合においてユーザが１つのシリーズ構成番組を選択して決定ボタンが押下した場合に表示されても構わない。
【０１５１】
ここで、上記した図１１及び図１２に示すように、当該番組詳細ポップアップ３１０とシリーズフォルダポップアップ３２０とでは表示されるアクションボタン（の種類）が異なる。また、図１１及び図１２においてはユーザ録画済み番組及びシリーズ番組の場合についてのみ説明したが、アクションボタンは、ポップアップが表示される際に選択された番組の状態に応じて異なる。
【０１５２】
図１３は、各番組の状態に応じて表示されるアクションボタンの一例を示す。図１３に示すように、アクションボタンには、例えば番組表ボタン、再生ボタン、削除／取消ボタン、全て削除ボタン、シリーズ録画／取消ボタン、詳細ボタン、自動削除防止ボタン、一括自動削除防止ボタン及び終了ボタンが含まれる。
【０１５３】
番組表ボタンは、番組表（ＥＰＧグリッド）を表示するためのボタンである。再生ボタンは、番組詳細ポップアップが表示される際に選択された番組（録画済み番組）を再生するためのボタンである。
【０１５４】
削除／取消ボタンは、例えば番組詳細ポップアップが表示される際に選択された番組が録画予約済み番組（自動録画予約済み番組またはユーザ録画予約済み番組）である場合に、当該録画予約を取り消すためのボタンである。また、削除／取消ボタンは、例えば番組詳細ポップアップが表示される際に選択された番組が録画済み番組（自動録画済み番組またはユーザ録画済み番組）である場合に、当該録画済み番組をＨＤＤ等の記録装置から削除するためのボタンである。
【０１５５】
全て削除ボタンは、例えばシリーズフォルダポップアップが表示される際に選択されたシリーズ番組を全て削除するためのボタンである。
【０１５６】
シリーズ録画／取消ボタンは、例えばシリーズフォルダポップアップが表示される際に選択されたシリーズ番組を録画するためのシリーズ録画予約をするためのボタンである。また、シリーズ録画／取消ボタンは、例えばシリーズフォルダポップアップが表示される際に選択されたシリーズ番組を録画するためのシリーズ録画予約がされている場合に、当該シリーズ録画予約を取り消すためのボタンである。なお、このシリーズ録画／取消ボタンが押下されることによってシリーズ録画予約が取り消された場合であっても、ＭＧＲトップページ２００において、当該シリーズ番組は１つのフォルダで表示されるものとする（つまり、当該シリーズ番組のフォルダは解除されない）。
【０１５７】
詳細ボタンは、例えば番組詳細ポップアップが表示される際に選択された番組の詳細を表示するためのボタンである。ここで表示される番組の詳細は、上記した図１２に示す番組詳細表示領域３１１に表示される情報によりも詳細な情報であるものとする。
【０１５８】
自動削除防止ボタンは、例えば番組詳細ポップアップが表示される際に選択された番組が自動録画予約済み番組または自動録画済み番組である場合において、前述した自動削除の防止を設定するためのボタンである。すなわち、この自動削除防止ボタンが押下された場合には、自動録画予約済み番組及び自動録画済み番組は、自動的に削除されず保護される。
【０１５９】
一括自動削除防止ボタンは、例えばシリーズフォルダポップアップが表示される際に選択されたシリーズ番組（を構成する全てのシリーズ構成番組）に対して上記した自動削除の防止を設定するためのボタンである。
【０１６０】
閉じるボタンは、番組詳細ポップアップまたはシリーズフォルダポップアップを閉じるためのボタンである。
【０１６１】
図１３に示す例では、例えばポップアップが表示される際に選択された番組が自動録画予約済み番組である場合には、当該ポップアップ（番組詳細ポップアップ３１０のアクションボタン領域３１２）には、番組表ボタン、削除／取消ボタン、詳細ボタン、自動削除防止ボタン及び閉じるボタンが表示されることが示されている。
【０１６２】
ここでは、ポップアップが表示される際に選択された番組が自動録画予約済み番組である場合について説明したが、他の場合についても同様であるため、その詳しい説明を省略する。
【０１６３】
なお、図１３に示す例では、例えば自動録画予約済み番組及びユーザ録画予約済み番組の場合には再生ボタン等は表示されないが、当該再生ボタン等についてはグレイアウト表示されるような構成であっても構わない。
【０１６４】
本実施形態においては、上述したようなポップアップ（番組詳細ポップアップ及びシリーズフォルダポップアップ）が表示されることによって、ユーザは、ＭＧＲトップページ２００上でフォーカス２０４に基づいて選択した番組の番組情報等を確認することができる。
【０１６５】
次に、ＭＧＲトップページ２００上におけるフォーカス２０４について詳細に説明する。本実施形態においては、上述したように重要な番組（例えば、最新の録画済み番組等）をユーザが直感的に把握することが可能なように、フォーカス２０４は、デフォルト状態（つまり、ＭＧＲトップページ２００への遷移時）では録画された日時が直近の録画済み番組（つまり、図５に示す番組表示領域２０２の最左端に位置する録画済み番組）上に表示される。
【０１６６】
また、上述したようにリモートコントローラ２０に対するユーザの操作に応じてフォーカス２０４を移動させることができる。ここで、例えばフォーカス２０４が移動された後にＭＧＲトップページ２００（の画面）から他の画面（例えば、コンテンツ再生画面、クラウドメニュー画面１００または各種ポップアップ等）に遷移した場合、当該フォーカス２０４が設定されている番組（つまり、移動先のフォーカス２０４の位置）がＴＶ装置３００内に記憶される。
【０１６７】
ここで、本実施形態においては、上記した移動後のフォーカス２０４が設定されている番組（以下、フォーカス番組と表記）が記憶された後にＭＧＲトップページ２００（つまり、録画番組一覧）が再度表示される場合、当該フォーカス番組（フォーカス２０４の位置）に基づいて当該録画番組一覧の表示を変えることができる。この場合、ＭＧＲトップページ２００において、フォーカス番組が所定の位置に設定（表示）されるように録画番組一覧が表示される。
【０１６８】
図１４を参照して具体的に説明すると、まず、今週に対応する番組表示領域に番組Ａ〜Ｅが左側から順番に配列されている場合を想定する。この場合において、上記したフォーカス２０４を移動することによって当該フォーカス２０４が番組Ｃ上に設定されているものとする。
【０１６９】
ここで、ＭＧＲトップページ２００が他の画面に遷移した場合には、フォーカス番組として番組Ｃが記憶される。
【０１７０】
次に、ＭＧＲトップページ２００が再度表示された場合には、フォーカス番組Ｃが上から２番目の番組表示領域（ここでは、今週に対応する番組表示領域）の最左端に位置するように録画番組一覧が表示される。この場合、図１４に示すように、ＭＧＲトップページ２００における今週に対応する番組表示領域には、番組Ｃ〜Ｇが左側から順番に配列される。なお、番組Ａ及びＢは、今週に対応する番組表示領域を右にスクロールした場合に表示されることになる。
【０１７１】
なお、図１４に示す例では、今週に対応する番組表示領域に表示されている番組Ｃがフォーカス番組である場合について説明したが、例えば他の番組表示領域に表示されている番組がフォーカス番組である場合も同様である。
【０１７２】
本実施形態においては、上記したようにＭＧＲトップページ２００が再度表示される場合に、フォーカス番組を上から２番目の番組表示領域の最左端に位置するように録画番組一覧を表示することにより、ユーザは、当該フォーカス番組（つまり、他の画面に移動する前に注目していた番組）を直感的に把握することができる。
【０１７３】
なお、ここでは、上記したようにフォーカス番組が記憶された後にＭＧＲトップページ２００が再度表示される場合に当該フォーカス番組が所定の位置に表示されるように録画番組一覧が表示されるものとして説明したが、このような表示方法は、ＭＧＲトップページ２００以外の画面が表示される場合に適用されても構わない。具体的には、ＭＧＲトップページ２００に表示されている全ての番組のうちの特定のジャンルの番組のみの一覧（以下、ジャンル一覧と表記）を表示するような機能を有する場合には、当該一覧においてフォーカス番組が所定の位置に表示されても構わない。一方、ジャンル一覧を表示する場合には、フォーカス番組が当該ジャンルに該当しない番組であるために、当該フォーカス番組が当該一覧に表示されない場合がある。この場合には、上述したデフォルト状態の場合のように、特定のジャンル一覧の複数の番組のうち、録画された日時が直近の録画済み番組上にフォーカスを設定するようにしてもよい。
【０１７４】
ところで、上述したようにフォーカス２０４が設定されている番組について番組詳細ポップアップが表示された場合において、当該番組詳細ポップアップ（のアクションボタン領域）に表示された削除／取消ボタンがユーザによって押下されると、当該番組は記録装置から削除されるとともに、ＭＧＲトップページ２００（録画番組一覧）からも削除される。
【０１７５】
以下、図１５を参照して、このようにフォーカス２０４が設定されている番組が削除された後に当該フォーカス２０４が設定される番組について説明する。ここでは、ケース１〜３について説明する。
【０１７６】
まず、ケース１は、図１５に示すように、特定の番組表示領域に左側から番組Ａ〜Ｅが表示されている場合において番組Ｃ４０１ａが削除される場合を想定している。このような番組Ｃ４０１ａが削除された場合には、フォーカス２０４は、番組Ｄ４０１ｂ上に設定されるものとする。すなわち、番組が削除される場合、ＭＧＲトップページ２００（録画番組一覧）におけるフォーカス位置を維持することを基本的なルールとし、次の番組（つまり、削除された番組の右側の番組）上にフォーカス２０４が設定されるものとする。
【０１７７】
次に、ケース２は、図１５に示すように、特定の番組表示領域において右側に番組が存在しない番組Ｃ４０２ａが削除される場合を想定している。このような番組Ｃ４０２ａが削除された場合には、フォーカス２０４は、番組Ｂ４０２ｂ上に設定されるものとする。このように、削除された番組の右側に番組が存在しない（つまり、フォーカス２０４の位置を維持することができない）場合には、当該削除された番組の前の番組（つまり、削除された番組の左側の番組）上にフォーカス２０４が設定されるものとする。
【０１７８】
次に、ケース３は、図１５に示すように、特定の番組表示領域において１つしか番組が存在しない場合に、当該１つの番組Ａ４０３ａが削除される場合を想定している。このような番組Ａ４０３ａが削除された場合、フォーカス２０４は、番組Ｈ４０３ｂ上に設定されるものとする。このように、削除される番組のみが番組表示領域に表示されている場合において当該番組が削除された場合には、当該番組表示領域自体が削除され、当該削除された番組表示領域より下位の番組表示領域（ここでは、番組Ｈ〜Ｌが表示されている番組表示領域等）が繰り上げて配置される。この場合におけるフォーカス２０４は、削除された番組表示領域の位置に繰り上げて配置された番組表示領域の最左端に位置する番組上に設定されるものとする。
【０１７９】
なお、上記したように削除される番組のみが番組表示領域に表示されている場合において当該番組が削除された場合には当該番組表示領域が削除されるが、当該番組表示領域が録画予約、今週及び先週に対応する番組表示領域である場合には、図１６に示すように当該番組表示領域は削除されないものとする。
【０１８０】
ここで、図１６のケース４に示されるように、今週に対応する番組表示領域に表示されている番組Ａ４０４ａが削除された場合、フォーカス２０４は、先週に対応する番組表示領域の最左端に位置する番組４０４ｂ上に設定されるものとする。すなわち、図１６のケース４では、上記した録画予約、今週または先週に対応する番組表示領域において番組が全て削除された場合において、当該番組表示領域（以下、空番組表領域と表記）の上位に配置された番組表示領域に再生可能な番組（つまり、録画済み番組）が存在しない場合を想定している。このような場合、フォーカス２０４は、空番組表領域の下位に配置された番組表示領域（ここでは、先週に対応する番組表示領域）の最左端に位置する番組（録画済み番組）上に表示されるものとする。すなわち、フォーカス２０４を設定する対象とする番組としては、録画予約済み番組より録画済み番組（つまり、再生可能な番組）を優先する。
【０１８１】
なお、空番組表示領域の上位に配置された番組表示領域再生可能な番組が存在する場合には、図１６のケース５に示すように、当該空番組表示領域（ここでは、先週に対応する番組表示領域）の上位に配置された番組表示領域（ここでは、今週に対応する番組表示領域）の最左端に位置する番組上にフォーカス２０４が設定されるものとする。
【０１８２】
また、図１７に示すように、例えばＭＧＲトップページ２００において最下位に配置された番組表示領域が空番組表示領域となった場合には、当該番組表示領域は削除され、当該番組表示領域の１つ上位に配置された番組表示領域の最左端に位置する番組がフォーカス番組となる。
【０１８３】
本実施形態においては、上記したようにフォーカス２０４が設定されている番組が削除された場合であっても、当該フォーカス２０４を他の番組上に適切に設定することができる。
【０１８４】
ここでは、番組の削除に応じたフォーカス２０４位置の移動（変更）について説明したが、例えば番組の削除以外の番組の状態の遷移に応じてもＭＧＲトップページ２００における録画番組の一覧が変更される。具体的には、例えばＭＧＲトップページ２００上の録画予約済み番組上にフォーカス２０４が設定されていた場合において、当該録画予約済み番組が録画予約に基づいて録画された場合を想定する。この場合には、この録画予約済み番組は録画済み番組となり、当該録画予約済み番組（を表すサムネイル画像）は録画予約に対応する番組表示領域から今週に対応する番組表示領域に移動する。このとき、フォーカス２０４は今週に対応する番組表示領域に移動された番組上に設定される。すなわち、上述した番組が削除されるような場合とは異なり、フォーカス２０４が設定されていた番組が録画番組一覧上に存在している限りは、番組の状態が遷移した場合であっても当該番組上のフォーカス２０４の設定は維持されるものとする。
【０１８５】
また、本実施形態においては、前述したシリーズフォルダポップアップ３２０におけるフォーカス３２３についてもユーザが直感的に把握しやすい位置（番組上）に設定されるように制御される。例えばシリーズ番組Ｃが例えばシリーズ構成番組ｃ１〜ｃ３を含む複数のシリーズ構成番組から構成されており、例えばＭＧＲトップページ２００上で個別に表示されたシリーズ構成番組ｃ３を選択して決定ボタンが押下された場合を想定する。この場合において表示されるシリーズフォルダポップアップ３２０においては、図１８に示すようにシリーズ構成番組ｃ３を最左端に配列した上で、当該シリーズ構成番組ｃ３上にフォーカス３２３が設定される。これによれば、ユーザは、シリーズフォルダポップアップ３２０を表示するために選択した番組を把握し、容易に次の操作を行うことが可能となる。
【０１８６】
なお、例えばシリーズ構成番組を選択して決定ボタンが押下されたのではなく、シリーズ番組（フォルダ）を選択して決定ボタンが押下された場合に表示されるシリーズフォルダポップアップ３２０では、最新の録画済み番組を最左端に配列した上で、当該録画済み番組上にフォーカス３２３が設定される。このように一旦シリーズフォルダポップアップ３２０が表示された後は、フォーカス３２３が設定されている番組を記憶する。これによれば、再度シリーズフォルダポップアップ３２０が表示される場合に、記憶された番組を最左端に配列した上で、当該番組上にフォーカス３２３を設定することができる。
【０１８７】
次に、図１９のフローチャートを参照して、前述したＭＧＲチェック処理（図４に示すブロックＢ３の処理）の処理手順について説明する。このＭＧＲチェック処理は、ＴＶ装置１０においてＭＧＲ機能を利用するための前処理であり、前述した利用指示操作が受け付けられた場合に実行される。
【０１８８】
ＭＧＲチェック処理において、ビュー制御部１４２は、ＭＧＲ利用確認メッセージを表示する（ブロックＢ１１）。このＭＧＲ利用確認メッセージは、ユーザに対してＭＧＲ機能を利用するか否かを問い合わせるためのメッセージである。ＭＧＲ利用確認メッセージとしては、例えば「現在、ＭＧＲ機能がアクティブ状態ではありません。ＭＧＲ機能をアクティブ状態にしますか？」のようなメッセージが表示される。
【０１８９】
また、ＭＧＲ利用確認メッセージの近傍には、例えばＹＥＳボタン及びＮＯボタンが表示されており、ユーザは、ＭＧＲ機能の利用を承諾する場合にはＹＥＳボタンを押下し、当該ＭＧＲ機能の利用を承諾しない場合にはＮＯボタンを押下することができる。
【０１９０】
なお、ＭＧＲ機能を利用するか否かのユーザの判断の便宜のため、上記したＭＧＲ利用確認メッセージに加えて、例えばＭＧＲトップページ２００のデモンストレーション画面等を表示しても構わない。
【０１９１】
次に、ユーザによって押下されたボタンに応じてＭＧＲ機能の利用が承諾されたか否かが判定される（ブロックＢ１２）。
【０１９２】
ＭＧＲ機能の利用が承諾された（つまり、上記したＹＥＳボタンが押下された）と判定された場合（ブロックＢ１２のＹＥＳ）、以下のブロックＢ１４〜Ｂ１６において、上述した自動録画予約を行うための機能（自動録画機能）のＯＮまたはＯＦＦを設定するための処理が実行される。
【０１９３】
この場合、ビュー制御部１４２は、ログ取得確認メッセージを表示する（ブロックＢ１３）。このログ取得確認メッセージは、ユーザに対してログの取得を許可するか否かを問い合わせるためのメッセージである。なお、ログは、上述したように自動録画予約において用いられ、例えばログコレクタ用のサーバ４１２において収集されるデータである。
【０１９４】
また、ログ取得確認メッセージの近傍には、例えば許可ボタン及び拒否ボタンが表示されており、ユーザは、ログの取得を許可する場合には許可ボタンを押下し、当該ログの取得を拒否する場合には拒否ボタンを押下することができる。
【０１９５】
ここで、ユーザによって押下されたボタンに応じてログの取得が許可された否かが判定される（ブロックＢ１４）。
【０１９６】
ログの取得が許可された（つまり、上記した許可ボタンが押下された）と判定された場合（ブロックＢ１４のＹＥＳ）、ＴＶ装置１０において自動録画予約を行うことができる（つまり、自動録画可能である）か否かが判定される（ブロックＢ１５）。このブロックＢ１５の処理は、自動録画可能であるか否かのＴＶ装置１０のシステムチェックを含む。この場合、例えば自動録画予約に基づいて録画を行うために必要な記録装置（例えば、ＨＤＤ）がＴＶ装置１０に接続されているか否か等がチェックされる。
【０１９７】
自動録画可能であると判定された場合（ブロックＢ１５のＹＥＳ）、自動録画機能がＯＮされる（ブロックＢ１６）。これにより、ＴＶ装置１０において、自動録画予約が行われる。
【０１９８】
ブロックＢ１６の処理が実行されると、ＭＧＲ機能の利用が可能である旨のチェック結果が出力され（ブロックＢ１７）、図４において説明したようにＭＧＲトップページ２００が表示される。
【０１９９】
一方、ＭＧＲ機能の利用が承諾されていない（つまり、上記したＮＯボタンが押下された）と判定された場合（ブロックＢ１２のＮＯ）、ＭＧＲ機能の利用が可能でない旨のチェック結果が出力される。この場合、図４において説明したようにＭＧＲトップページ２００は表示されない。
【０２００】
また、ログの取得が許可されないと判定された場合（ブロックＢ１４のＮＯ）または自動録画可能でないと判定された場合（ブロックＢ１５のＮＯ）には、上記したブロックＢ１６の処理は実行されず、自動録画機能をＯＦＦとする。
【０２０１】
なお、上記したように自動録画機能がＯＦＦとされた場合であっても、上記したブロックＢ１７の処理においてＭＧＲ機能の利用が可能である旨のチェック結果が出力される。この場合には、上述したようにＭＧＲトップページ２００は表示されるが、自動録画予約は行われない。
【０２０２】
また、ブロックＢ１５において、例えばＨＤＤがＴＶ装置１０に接続されていないために自動録画可能でないと判定された場合には、当該ＨＤＤをＴＶ装置１０に接続することを促すような警告メッセージが出力されるものとする。このようなメッセージによりＨＤＤがＴＶ装置１０に接続された場合には、再度ＭＧＲチェック処理が実行されるようにすることも可能である。
【０２０３】
次に、本実施形態に係るＴＶ装置１０において例えば録画済み番組（コンテンツ）が再生される場合について説明する。
【０２０４】
ここで、本実施形態に係るＴＶ装置１０においては、前述した複数の共通ログイン識別子（共通ＩＤ）を家族で使用するファミリーＩＤとして用いることによって、当該家族の構成員の各々がＴＶ装置１０を利用することができる。
【０２０５】
この場合における家族の構成員の中には子供が含まれる場合があり、上述した録画済み番組の内容によってはその視聴（再生）を制限したい場合がある。
【０２０６】
このため、本実施形態に係るＴＶ装置１０を利用する家族の構成員のうちの例えば親等は、所望の番組に対して暗証番号（ＰＩＮ）を設定することによって、当該番組の再生をロックすることができる。この暗証番号は、例えば０から９の数字からなる４ケタの番号であるものとする。なお、このようにロックされた番組（を示す情報）及び当該番組対して設定された暗証番号は、例えばＴＶ装置１０内で管理されてもよいし、当該ＴＶ装置１０の外部のサーバ等で管理されてもよい。
【０２０７】
以下、図２０のフローチャートを参照して、本実施形態に係るＴＶ装置１０において録画済み番組が再生される場合の処理手順について説明する。
【０２０８】
まず、ＴＶ装置１０において、ユーザによって選択された録画済み番組（以下、再生対象番組と表記）に対する再生指示操作が受け付けられたものとする（ブロックＢ２１）。
【０２０９】
なお、再生対象番組に対する再生指示操作には、例えばＭＧＲトップページ２００においてフォーカス２０４が再生対象番組上に設定されている状態でリモートコントローラ２０に設けられている再生ボタンをユーザが押下する操作、及びＭＧＲトップページ２００において再生対象番組が選択されて決定ボタンが押下された際に表示される番組詳細ポップアップ上で再生ボタンをユーザが押下する操作等が含まれる。
【０２１０】
次に、上記したＴＶ装置１０またはサーバで管理されている情報に基づいて、再生対象番組がロックされているか否かが判定される（ブロックＢ２２）。
【０２１１】
再生対象番組がロックされていると判定された場合（ブロックＢ２２のＹＥＳ）、ＴＶ装置１０には、暗証番号の入力を促すポップアップ（以下、暗証番号入力ポップアップと表記）が表示される（ブロックＢ２３）。この暗証番号入力ポップアップには、例えば「この番組はロックされています。番組を再生するためには暗証番号を入力して下さい。」等のメッセージが表示される。また、暗証番号入力ポップアップには４つのボックスが表示され、ユーザは、例えばリモートコントローラ２０（に設けられている例えばテンキー等）を操作することによって当該４つのボックスの各々に０〜９の数字を入力することができる。
【０２１２】
なお、暗証番号入力ポップアップの下部等に、例えば各ボックスには０〜９の数字のみを入力することができる旨の操作ガイドメッセージが表示されても構わない。
【０２１３】
この場合、暗証番号ポップアップの４つのボックスの各々に入力された数字からなる番号（以下、入力番号と表記）が、再生対象番組に対して設定された暗証番号と一致するか否かが判定される（ブロックＢ２４）。
【０２１４】
入力番号が再生対象番組に対して設定された暗証番号と一致すると判定された場合（ブロックＢ２４のＹＥＳ）、当該再生対象番組（コンテンツ）が再生される（ブロックＢ２５）。
【０２１５】
一方、入力番号が再生対象番組に対して設定された暗証番号と一致しないと判定された場合（ブロックＢ２４のＮＯ）、当該再生対象番組は再生されない。なお、この場合においては、例えば入力番号が暗証番号と一致しない旨の警告メッセージが出力される。
【０２１６】
また、再生対象番組がロックされていないと判定された場合（ブロックＢ２２のＮＯ）、上記したブロックＢ２５の処理が実行される。
【０２１７】
本実施形態においては、上記した図２０に示す処理が実行されることによって、例えば家族でＴＶ装置１０を利用するような場合において、家族の構成員のうちの特定の者（例えば、子供等）に対して番組の視聴を制限することができる。
【０２１８】
なお、ＴＶ装置１０を利用するに際して家族の構成員の年齢等を登録しておくことによって、所定の番組が自動的にロックされるような構成とすることも可能である。
【０２１９】
上記したように再生対象番組（録画済み番組）が再生された場合、ユーザは当該再生対象番組を視聴することができるが、当該ユーザは、この再生対象番組の視聴中にリモートコントローラ２０等を操作することによって当該再生対象番組を早送り再生または早戻し再生等を行うことができる。
【０２２０】
なお、リモートコントローラ２０には、再生対象番組の再生に関して、再生ボタン、一時停止ボタン、早送りボタン及び早戻しボタン等が設けられているものとする。
【０２２１】
以下、図２１を参照して、上記したリモートコントローラ２０に対するユーザの操作に応じた再生対象番組の状態遷移について説明する。なお、再生対象番組が再生された場合における当該再生対象番組の状態には、再生状態、一時停止状態、早送り状態及び早戻し状態が含まれる。
【０２２２】
まず、上記したように再生対象番組の再生が開始された場合、当該再生対象番組は再生状態となる。この再生状態では、再生対象番組は通常速度で再生される。
【０２２３】
ここで、再生対象番組が再生状態である場合においてリモートコントローラ２０に設けられている一時停止ボタンが押下された場合には、再生対象番組は一時停止状態に遷移する。
【０２２４】
また、再生対象番組が一時停止状態である場合においてリモートコントローラ２０に設けられている一時停止ボタンが押下された場合には、再生対象番組は再生状態に戻る。
【０２２５】
一方、再生対象番組が再生状態または一時停止状態である場合においてリモートコントローラ２０に設けられている早送りボタンが押下された場合には、再生対象番組は早送り状態に遷移する。この早送り状態において、再生対象番組は、上記した再生状態時の再生方向に対して順方向に、通常速度よりも早い速度で再生（早送り再生）される。
【０２２６】
なお、この早送り状態には、通常速度の２倍の速度で早送り再生される２倍早送り状態、通常速度の４倍の速度で早送り再生される４倍早送り状態、通常速度の８倍の速度で早送り再生される８倍早送り状態、通常速度の１６倍の速度で早送り再生される１６倍早送り状態、及び通常速度の３２倍の速度で早送り再生される３２倍早送り状態が含まれる。
【０２２７】
これらの各早送り状態間の遷移について説明すると、まず、再生対象番組が再生状態または一時停止状態である場合において早送りボタンが１度押下された場合には、再生対象番組は２倍早送り状態に遷移する。また、再生対象番組が２倍早送り状態である場合において早送りボタンが再度押下された場合には、再生対象番組は４倍早送り状態に遷移する。換言すれば、例えば再生対象番組が再生状態である場合には、早送りボタンが押下される度に早送り再生の速度が２倍になり、当該速度が増加する。
【０２２８】
一方、上記したように複数回早送りボタンが押下されることによって再生対象番組が３２倍早送り状態となった場合において早送りボタンが更に押下された場合には、再生対象番組は１６倍早送り状態に遷移するものとする。換言すれば、例えば再生対象番組が３２倍早送り状態となった後は、早送りボタンが押下される度に早送り再生の速度が１／２になり、当該速度が減少する。
【０２２９】
すなわち、本実施形態において、早送り状態は、早送りボタンの押下に応じて、２倍早送り状態、４倍早送り状態、８倍早送り状態、１６倍早送り状態、３２倍早送り状態、１６倍早送り状態、８倍早送り状態、４倍早送り状態、２倍早送り状態、４倍早送り状態、…の順に遷移する。
【０２３０】
また、再生対象番組が再生状態または一時停止状態である場合においてリモートコントローラ２０に設けられている早戻しボタンが押下された場合には、再生対象番組は早戻し状態に遷移する。この早戻し状態において、再生対象番組は、上記した再生状態時の再生方向に対して逆方向に、通常速度よりも早い速度で再生（早戻し再生）される。
【０２３１】
なお、この早戻し状態には、通常速度の２倍の速度で早戻し再生される２倍早戻し状態、通常速度の４倍の速度で早戻し再生される４倍早戻し状態、通常速度の８倍の速度で早戻し再生される８倍早戻し状態、通常速度の１６倍の速度で早戻し再生される１６倍早戻し状態、及び通常速度の３２倍の速度で早戻し再生される３２倍早戻し状態が含まれる。
【０２３２】
これらの各早戻し状態の間の遷移について説明すると、まず、再生対象番組が再生状態または一時停止状態である場合において早戻しボタンが１度押下された場合には、再生対象番組は２倍早戻し状態に遷移する。また、再生対象番組が２倍早戻し状態である場合において早戻しボタンが再度押下された場合には、再生対象番組は４倍早戻し状態に遷移する。換言すれば、例えば再生対象番組が再生状態である場合には、早戻しボタンが押下される度に早戻し再生の速度が２倍になり、当該速度が増加する。
【０２３３】
一方、上記したように複数回早戻しボタンが押下されることによって再生対象番組が３２倍早戻し状態となった場合において早戻しボタンが更に押下された場合には、再生対象番組は１６倍早戻し状態に遷移するものとする。換言すれば、例えば再生対象番組が３２倍早戻し状態となった後は、早戻しボタンが押下される度に早戻し再生の速度が１／２になり、当該速度が減少する。
【０２３４】
すなわち、本実施形態において、早戻し状態は、早戻しボタンの押下に応じて、２倍早戻し状態、４倍早戻し状態、８倍早戻し状態、１６倍早戻し状態、３２倍早戻し状態、１６倍早戻し状態、８倍早戻し状態、４倍早戻し状態、２倍早戻し状態、４倍早戻し状態、…の順に遷移する。
【０２３５】
なお、再生対象番組が上記した早送り状態または早戻し状態である場合においてリモートコントローラ２０に設けられている再生ボタンが押下された場合には、再生対象番組は再生状態に戻る。また、再生対象番組が早送り状態または早戻し状態である場合においてリモートコントローラ２０に設けられている一時停止ボタンが押下された場合には、再生対象番組は一時停止状態に遷移する。
【０２３６】
一方、再生対象番組が早送り状態である場合においてリモートコントローラ２０に設けられている早戻しボタンが押下された場合には、再生対象番組は早戻し状態（例えば、２倍早戻し状態）に遷移する。同様に、再生対象番組が早戻し状態である場合においてリモートコントローラ２０に設けられている早送りボタンが押下された場合には、再生対象番組は早送り状態（例えば、２倍早送り状態）に遷移する。
【０２３７】
次に、前述した図１に示すクラウドメニュー画面１００に設けられている表示領域１０４（に表示されるＭＧＲ機能に対応するウィジェット）について説明する。
【０２３８】
なお、表示領域１０４にはＭＧＲ機能に関する情報が表示されるが、当該情報は、当該ＭＧＲ機能に関する設定状態によって異なるものとする。以下、この表示領域１０４に表示される情報について、ＭＧＲ機能に関する設定状態毎に説明する。なお、ＭＧＲ機能に関する設定状態には、例えば上述したサービスプロバイダの設定がされていないという状態（以下、サービスプロバイダ未設定状態と表記）、当該サービスプロバイダの設定はされているが自動録画機能がＯＮされていないという状態（以下、自動録画機能ＯＦＦ状態と表記）、及びサービスプロバイダの設定がされており、かつ、自動録画機能がＯＮされているという状態（以下、自動録画機能ＯＮ状態と表記）を含む。
【０２３９】
まず、サービスプロバイダ未設定状態である場合について説明する。この場合、表示領域１０４には、ＭＧＲ機能におけるサービス名とともに、例えば「ＭＧＲ機能を利用する前にサービスプロバイダ（ＴＶプロバイダ）を設定して下さい。」等のメッセージが表示される。なお、この場合においてＭＧＲ機能に対応するウィジェットが選択されて決定ボタンが押下された場合、サービスプロバイダの設定画面（例えば、ポップアップ）が表示される。ユーザは、この設定画面においてサービスプロバイダを設定することができる。
【０２４０】
次に、自動録画機能ＯＦＦ状態である場合について説明する。この場合、表示領域１０４には、例えば自動録画機能がＯＮされた場合に自動録画予約がされると想定される番組（以下、自動録画候補番組と表記）が表示される。具体的には、上述したＭＧＲチェック処理において説明したログの取得が許可されている場合には、当該ログに基づいてＴＶ装置１０を利用するユーザ向けの自動録画候補番組が表示される。一方、ログの取得が許可されていない場合には、一般的な自動録画候補番組（単に人気度の高い番組等）が表示される。このように表示領域１０４に自動録画候補番組を表示する場合には、当該自動録画候補番組のタイトル及び当該自動録画候補番組を表すサムネイル画像等が表示されるものとする。なお、この表示領域１０４に表示される自動録画候補番組は、クラウドメニュー画面１００が再表示される度に更新される。
【０２４１】
更に、表示領域１０４には、ＭＧＲ機能におけるサービス名とともに、例えば「このＴＶはあなたにとって素晴らしいこれらの番組（自動録画候補番組）を自動的に録画することができます。」等のメッセージが表示される。
【０２４２】
すなわち、自動録画機能がＯＮされていない場合には、表示領域１０４に自動録画候補番組及び上記したようなメッセージを表示することによって、ユーザに対して自動録画機能の利用を促すことができる。
【０２４３】
なお、この場合においてＭＧＲ機能に対応するウィジェットが選択されて決定ボタンが押下された場合には、例えば上述したＭＧＲチェック処理が開始され、自動録画機能をＯＮすることができる。
【０２４４】
次に、自動録画機能ＯＮ状態である場合について説明する。この場合、表示領域１０４には、例えば録画される日時が直近の３つの自動録画予約済み番組（自動録画機能により自動録画予約がされた番組）が表示される。このように表示領域１０４に自動録画予約済み番組を表示する場合には、当該自動録画予約済み番組のタイトル及び当該自動録画予約済み番組を表すサムネイル画像等が表示されるものとする。
【０２４５】
一方、自動録画予約済み番組が存在しない場合には、表示領域１０４には、上述した一般的な自動録画候補番組等が表示されてもよいし、例えば現在自動録画予約済み番組がないことを表すウィジェット等が表示されても構わない。
【０２４６】
なお、この表示領域１０４に表示される自動録画予約済み番組は、クラウドメニュー画面１００が再表示される度に更新される。
【０２４７】
更に、表示領域１０４には、ＭＧＲ機能におけるサービス名とともに、例えば「このＴＶはあなたにとって素晴らしいこれらの番組（自動録画予約済み番組）を録画します。」等のメッセージが表示される。
【０２４８】
すなわち、自動録画機能がＯＮされている場合には、表示領域１０４に自動録画予約済み番組及び上記したようなメッセージを表示することによって、ユーザに対して自動録画機能によって自動録画予約がされた番組を提示することができる。
【０２４９】
上記したように本実施形態においては、ユーザによる操作（ＭＧＲ機能の利用を指示する操作）に応じて複数の録画予約済み番組（のアイコン）及び複数の録画済み番組（のアイコン）の双方を含む録画番組一覧（ＭＧＲトップページ２００）を表示することができる。また、この録画番組一覧において、複数の録画予約済み番組及び複数の録画済み番組は、当該番組の日時（録画予約に基づいて録画される日時及び録画された日時）順にマトリクス上に配置される。更に、録画番組一覧において、録画予約に基づいて録画される日時が直近の録画予約済み番組及び録画された日時が直近の録画済み番組（つまり、最新の録画済み番組）は近接するように配列される。また、録画番組一覧において番組を選択するためのフォーカス２０４は、例えばデフォルト状態では（つまり、ＭＧＲトップページ２００への遷移に応じて）録画された日時が直近の録画済み番組（のアイコン）上に設定される。
【０２５０】
すなわち、本実施形態においては、録画予約済み番組及び録画済み番組を日時に基づいてマトリクス上に配置した一覧を一画面で表示することによって、単に録画予約済み及び録画済み番組を日時順に並べた場合と比較して視認性を向上させることができる。
【０２５１】
更に、本実施形態においては、録画予約に基づいて録画される日時が直近の録画予約済み番組と録画された日時が直近の録画済み番組とが近接して配置されるため、録画番組一覧において重要な番組（例えば、録画予約に基づいて録画される日時が直近の録画予約済み番組及び録画された日時が直近の録画済み番組）を直感的に把握することが可能となる。
【０２５２】
更に、本実施形態においては、録画番組一覧が表示された際にフォーカス２０４が録画された日時が直近の録画済み番組上に設定されるため、操作対象となる可能性が高い重要な番組に対する操作性を向上させることが可能となる。
【０２５３】
また、本実施形態においては、フォーカス２０４に基づいて同一のシリーズの番組のうちの１つ（シリーズ構成番組）が選択された場合には当該同一のシリーズの番組（のアイコン）の一覧が表示され、当該シリーズ構成番組以外の番組が選択された場合には当該番組の情報が表示されることにより、ユーザによって選択された番組に応じた情報を当該ユーザに提供することができるとともに、シリーズ番組に対する操作性を向上させることができる。
【０２５４】
また、本実施形態においては、フォーカス２０４が移動された後に録画番組一覧が表示された画面（ＭＧＲトップページ２００）から他の画面に遷移した場合に、当該フォーカス２０４が設定されている番組（フォーカス番組）を記憶し、録画番組一覧が再度表示される場合に、当該記憶された番組（のアイコン）が所定の位置に設定（表示）されるように当該録画番組一覧を表示することにより、再度録画番組一覧が表示された場合であっても、ユーザは、フォーカス２０４が設定されていた番組（つまり、ユーザが注目していた番組）を直感的に把握することが可能となる。
【０２５５】
更に、本実施形態においては、同一のシリーズの複数の番組を１つのフォルダ（のアイコン）でまとめて表示し、当該フォルダは、当該複数の番組の各々が録画された日時のうちの直近の日時に基づいて録画番組一覧上に配列される。また、本実施形態において、過去の放送された同一のシリーズの複数の番組のうち録画されていない番組が録画予約された場合、フォルダは、当該録画予約に基づいて録画される日時に基づいて録画番組一覧上に配列される。本実施形態においては、このような構成により、同一のシリーズの番組に対する操作性を向上させることができるとともに、当該同一のシリーズの番組をまとめたフォルダをユーザにとって把握しやすい位置に配置することが可能となる。
【０２５６】
なお、本実施形態の処理はコンピュータプログラムによって実現することができるため、このコンピュータプログラムを格納したコンピュータ読み取り可能な記憶媒体を通じてこのコンピュータプログラムをコンピュータにインストールして実行するだけで、本実施形態と同様の効果を容易に実現することができる。
【０２５７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【０２５８】
１０…ＴＶ装置（電子機器）、１１…ＤＴＶ機能ブロック、１２…ＤＴＶＩＦ、１３…ソケット部、１４…クラウドアプリケーション部、１５…アプリケーション共通部、１６…ＭＯＤ、１７…ＢＵＩ、２０…リモートコントローラ、４１１…タイムクラウドサービスサーバ
【図１】
2015154404.tif 000003
【図２】
2015154404.tif 000004
【図３】
2015154404.tif 000005
【図４】
2015154404.tif 000006
【図５】
2015154404.tif 000007
【図６】
2015154404.tif 000008
【図７】
2015154404.tif 000009
【図８】
2015154404.tif 000010
【図９】
2015154404.tif 000011
【図１０】
2015154404.tif 000012
【図１１】
2015154404.tif 000013
【図１２】
2015154404.tif 000014
【図１３】
2015154404.tif 000015
【図１４】
2015154404.tif 000016
【図１５】
2015154404.tif 000017
【図１６】
2015154404.tif 000018
【図１７】
2015154404.tif 000019
【図１８】
2015154404.tif 000020
【図１９】
2015154404.tif 000021
【図２０】
2015154404.tif 000022
【図２１】
2015154404.tif 000023